(57)【要約】  本発明の広角光学系は、開口絞り１３を挟んで前群のレンズ群１１と後群のレンズ群１２とから成り、前群のレンズ群１１は、少なくとも２枚の負レンズ１１１、１１２と、少なくとも１枚の正レンズ１１３とを含み、前群のレンズ群１１に含まれる正レンズのうちの少なくとも１枚の正レンズは、少なくとも１面の非球面を有し、前群のレンズ群１１は、前群のレンズ群１１に含まれる正レンズのうちのアッベ数の最小値をνｄｐとする場合に、νｄｐ＜２９の条件式を満足する。
2009041382.tif 000002
【特許請求の範囲】
【請求項１】
開口絞りを挟んで前群のレンズ群と後群のレンズ群とから成り、
前記前群のレンズ群は、少なくとも２枚の負レンズと、少なくとも１枚の正レンズとを含み、
前記前群のレンズ群に含まれる正レンズのうちの少なくとも１枚の正レンズは、少なくとも１面の非球面を有し、
前記前群のレンズ群は、下記（１）の条件式を満足することを特徴とする広角光学系。
νｄｐ＜２９      ・・・（１）
ただし、
νｄｐ：前記前群のレンズ群に含まれる正レンズのうちのアッベ数の最小値
【請求項２】
前記（１）の条件式を満足する前記正レンズは、下記（２）の条件式を満足することを特徴とする請求の範囲第１項に記載の広角光学系。
｜Ｈｐ｜／Ｒｐ＞０．６５      ・・・（２）
ただし、
Ｈｐ：前記正レンズにおける物体側のレンズ面での最大像高に対応する光束の主光線高さ（光軸からの距離）
Ｒｐ：前記正レンズにおける物体側のレンズ面の最大有効半径
【請求項３】
前記（１）の条件式を満足する前記正レンズは、下記（３）の条件式を満足することを特徴とする請求の範囲第１項または第２項に記載の広角光学系。
Ｎｄｐ＞１．６      ・・・（３）
ただし、
Ｎｄｐ：前記正レンズの屈折率
【請求項４】
前記（１）の条件式を満足する前記正レンズは、樹脂材料製レンズであることを特徴とする請求の範囲第１項ないし第３項のいずれか１項に記載の広角光学系。
【請求項５】
最物体側のレンズは、負レンズであり、下記（４）の条件式を満足することを特徴とする請求の範囲第１項ないし第４項のいずれか１項に記載の広角光学系。
３３＜νｄ１＜４７      ・・・（４）
ただし、
νｄ１：前記最物体側のレンズのアッベ数
【請求項６】
前記前群のレンズ群は、３枚のレンズから成り、
前記後群のレンズ群は、１枚のレンズから成ることを特徴とする請求の範囲第１項ないし第５項のいずれか１項に記載の広角光学系。
【請求項７】
前記前群を３枚のレンズ、前記後群を３枚のレンズで構成することを特徴とする請求の範囲第１項ないし第５項のいずれか１項に記載の広角光学系。
【請求項８】
前記前群を４枚のレンズ、前記後群を２枚のレンズで構成することを特徴とする請求の範囲第１項ないし第５項のいずれか１項に記載の広角光学系。
【請求項９】
前記前群を３枚のレンズ、前記後群を２枚のレンズで構成することを特徴とする請求の範囲第１項ないし第５項のいずれか１項に記載の広角光学系。
【請求項１０】
物体側から順に数えた場合の第１レンズおよび第２レンズは、下記（５）の条件式を満足することを特徴とする請求の範囲第１項ないし第９項のいずれか１項に記載の広角光学系。
２．１＜Ｄ１２／ｆ＜５．３      ・・・（５）
ただし、
Ｄ１２：前記第１レンズと前記第２レンズとの間における光軸上間隔
ｆ：全系の焦点距離
【請求項１１】
物体側から順に数えた場合の第２レンズおよび第３レンズは、下記（６）の条件式を満足することを特徴とする請求の範囲第１項ないし第１０項のいずれか１項に記載の広角光学系。
１＜Ｄ２３／ｆ＜２．２      ・・・（６）
ただし、
Ｄ２３：前記第２レンズと前記第３レンズとの間における光軸上間隔
ｆ：全系の焦点距離
【請求項１２】
物体側から順に数えた場合の第３レンズおよび第４レンズは、下記（７）の条件式を満足することを特徴とする請求の範囲第１項ないし第１１項のいずれか１項に記載の広角光学系。
１．１＜Ｄ３４／ｆ＜１．７７      ・・・（７）
ただし、
Ｄ３４：前記第３レンズと前記第４レンズとの間における光軸上間隔
ｆ：全系の焦点距離
【請求項１３】
前記前群のレンズ群は、物体側から順に、物体側に凸の２枚の負メニスカスレンズおよび両凸の正レンズが配置されており、
前記後群のレンズ群は、物体側から順に、両凸の正レンズが配置されていることを特徴とする請求の範囲第１項ないし第１２項のいずれか１項に記載の広角光学系。
【請求項１４】
物体側から順に、物体側に凸形状の負メニスカスレンズ、負レンズ、両凸レンズ、開口絞り、両凸レンズ、像側に凸形状の負メニスカスレンズ、両凸レンズの順に配置されていることを特徴とする請求の範囲第１項ないし第５項、第７項および第１０項ないし第１２項のいずれか１項に記載の広角光学系。
【請求項１５】
物体側から順に、物体側に凸形状の負メニスカスレンズ、負レンズ、両凸レンズ、正レンズ、開口絞り、正レンズ、像側に凸形状の負メニスカスレンズの順に配置されていることを特徴とする請求の範囲第１項ないし第５項、第８項および第１０項ないし第１２項のいずれか１項に記載の広角光学系。
【請求項１６】
物体側から順に、物体側に凸形状の負メニスカスレンズ、負レンズ、正レンズ、開口絞り、両凸レンズ、像側凸の負メニスカスレンズの順に配置されていることを特徴とする請求の範囲第１項ないし第５項および第９項ないし第１２項のいずれか１項に記載の広角光学系。
【請求項１７】
最物体側のレンズは、ガラス製レンズであることを特徴とする請求の範囲第１項ないし第１６項のいずれか１項に記載の広角光学系。
【請求項１８】
前記最物体側のレンズは、下記（８）の条件式を満足することを特徴とする請求の範囲第１７項に記載の広角光学系。
ＤＡ１＜０．３５      ・・・（８）
ただし、
ＤＡ１：前記最物体側のレンズにおけるガラス材料の粉末を０．０１ｍｏｌ／ｌの硝酸水溶液中に入れて、沸騰水浴中で加熱し、その質量減（％）として算出される耐酸性の値
【請求項１９】
物体側から順に数えた場合の第２レンズは、少なくとも１面の非球面を有する樹脂材料製レンズであることを特徴とする請求の範囲第１項ないし第１８項のいずれか１項に記載の広角光学系。
【請求項２０】
物体側から順に数えた場合の第４レンズは、少なくとも１面の非球面を有する樹脂材料製レンズであることを特徴とする請求の範囲第１項ないし第１９項のいずれか１項に記載の広角光学系。
【請求項２１】
半画角９０度の光束の主光線について、下記（９）の条件式を満足することを特徴とする請求の範囲第１項ないし第２０項のいずれか１項に記載の広角光学系。
−０．３＜（Ｙｒ／２ｆ）−１＜０．７      ・・・（９）
ただし、
Ｙｒ：像面上での主光線位置（光軸からの距離）
ｆ：全系の焦点距離
【請求項２２】
下記（１０）の条件式を満足することを特徴とする請求の範囲第１項ないし第２１項のいずれか１項に記載の広角光学系。
Ｙ’／ＴＬ＞０．１      ・・・（１０）
ただし、
Ｙ’：最大像高
ＴＬ：最物体側のレンズ面における面頂点から像面までの光軸上距離（ただし、バックフォーカスは空気換算長）
【請求項２３】
下記（１１）の条件式を満足することを特徴とする請求の範囲第１項ないし第２２項のいずれか１項に記載の広角光学系。
｜Ｅｐ｜／Ｌｂ＞２．２      ・・・（１１）
ただし、
Ｅｐ：最大像高主光線に対する射出瞳位置（像面からの距離）
Ｌｂ：バックフォーカス（空気換算長）
【請求項２４】
前記（１）の条件式を満足する前記正レンズより物体側の光学面、又は前記正レンズの物体側面に、紫外線の透過を抑制する手段を有することを特徴とする請求の範囲第４項ないし第２３項のいずれか１項に記載の広角光学系。
【請求項２５】
前記（１）の条件式を満足する前記正レンズの前記樹脂材料製レンズは、樹脂材料中に最大長が３０ナノメートル以下の粒子を分散させた素材を用いて成形したレンズであることを特徴とする請求の範囲第４項ないし第２４項のいずれか１項に記載の広角光学系。
【請求項２６】
前記樹脂材料製レンズは、樹脂材料中に最大長が３０ナノメートル以下の粒子を分散させた素材を用いて成形したレンズであることを特徴とする請求の範囲第１９項または第２０項に記載の広角光学系。
【請求項２７】
請求の範囲第１項ないし第２６項のいずれか１項に記載の広角光学系を備え、前記広角光学系が所定の結像面上に被写体の光学像を形成可能な構成とされていることを特徴とする撮像レンズ装置。
【請求項２８】
所定位置に取り付けられ、取り付けられた位置周辺の所定領域の被写体を撮像するモニタカメラであって、
請求の範囲第２７項に記載の撮像レンズ装置と、
前記撮像レンズ装置により導かれた被写体の光学像を電気的な信号に変換する撮像素子とを備えることを特徴とするモニタカメラ。
【請求項２９】
請求の範囲第２７項に記載の撮像レンズ装置と、
前記撮像レンズ装置により導かれた被写体の光学像を電気的な信号に変換する撮像素子と、
前記撮像レンズ装置および前記撮像素子に被写体の静止画撮影および動画撮影の少なくとも一方の撮影を行わせる制御部とを備えることを特徴とするデジタル機器。
【請求項３０】
前記撮像素子の受光面上に形成される前記被写体の光学像における歪みを補正する画像処理部をさらに備えることを特徴とする請求の範囲第２９項に記載のデジタル機器。
【発明の詳細な説明】
【技術分野】
【０００１】
本発明は、広画角でコンパクトな広角光学系、特に、全画角９０度以上の超広角な超広角光学系に好適な広角光学系に関する。そして、本発明は、この広角光学系を備える撮像レンズ装置、ならびに、この撮像レンズ装置を搭載したモニタカメラおよびデジタル機器に関する。
【背景技術】
【０００２】
周囲の映像情報を少数のカメラで広範囲に撮像する場合、一般に、大きな撮影画角（広画角）を有する広角光学系が採用される。例えば、監視用や車載用等の用途では、このような広角光学系が利用されている。【０００３】
また、例えば、車両のバックモニタ用の車載カメラ等であれば、広画角であるばかりではなく、運転者の視界を遮らないという実用的な観点や車の美観の観点等から、よりコンパクトであることが要求されている。【０００４】
このような広角光学系は、例えば、特許文献１および特許文献２に開示されている。この特許文献１に開示の広角光学系では、４、５枚程度の少ないレンズ枚数で、超広角の場合に問題となるシェーディングを防止している。また、特許文献２に開示の広角光学系では、適切に硝材を配置することによって、幅広い温度環境下で結像位置の変化を抑えている。
【特許文献１】特開２００５−２２７４２６号公報
【特許文献２】特開２００７−１０１９２０号公報
【発明の開示】
【発明が解決しようとする課題】
【０００５】
前記特許文献１や特許文献２に開示の広角光学系では、シェーディングの防止や幅広い温度環境下での結像位置の変化の抑制が達成されているが、光学系のコンパクト化に伴って発生する色収差の補正が充分ではなく、このため、画面全体のコントラストが低下してしまう。【０００６】
本発明は、上述の事情に鑑みて為された発明であり、その目的は、より良好な光学性能を有し、コンパクトな広角光学系、この広角光学系を備える撮像レンズ装置、ならびに、この撮像レンズ装置を搭載したモニタカメラおよびデジタル機器を提供することである。
【課題を解決するための手段】
【０００７】
本発明は、上記技術的課題を解決するために、以下のような構成を有する広角光学系、撮像レンズ装置、モニタカメラおよびデジタル機器を提供するものである。なお、以下の説明において使用されている用語は、本明細書においては、次の通り定義されているものとする。
（ａ）屈折率は、ｄ線の波長（５８７．５６ｎｍ）に対する屈折率である。
（ｂ）アッベ数は、ｄ線、Ｆ線（４８６．１３ｎｍ）、Ｃ線（６５６．２８ｎｍ）に対する屈折率を各々ｎｄ、ｎＦ、ｎＣ、アッベ数をνｄとした場合に、
νｄ＝（ｎｄ−１）／（ｎＦ−ｎＣ）
の定義式で求められるアッベ数νｄをいうものとする。
（ｃ）面形状に関する表記は、近軸曲率に基づいた表記である。
（ｄ）レンズについて、「凹」、「凸」または「メニスカス」という表記を用いた場合、これらは光軸近傍（レンズの中心付近）でのレンズ形状を表しているもの（近軸曲率に基づいた表記）とする。
（ｅ）複合型非球面レンズに用いる樹脂材料は、基板ガラス材料の付加的機能しかないため、単独の光学部材として扱わず、基板ガラス材料が非球面を有する場合と同等の扱いとし、レンズ枚数も１枚として取り扱うものとする。そして、レンズ屈折率も基板となっているガラス材料の屈折率とする。複合型非球面レンズは、基板となるガラス材料の上に薄い樹脂材料を塗布して非球面形状としたレンズである。【０００８】
１．開口絞りを挟んで前群のレンズ群と後群のレンズ群とから成り、前記前群のレンズ群は、少なくとも２枚の負レンズと、少なくとも１枚の正レンズとを含み、前記前群のレンズ群に含まれる正レンズのうちの少なくとも１枚の正レンズは、少なくとも１面の非球面を有し、前記前群のレンズ群は、下記（１）の条件式を満足することを特徴とする広角光学系。
νｄｐ＜２９      ・・・（１）
ただし、νｄｐは、前記前群のレンズ群に含まれる正レンズのうちのアッベ数の最小値である。【０００９】
２．前記（１）の条件式を満足する前記正レンズは、下記（２）の条件式を満足することを特徴とする前記１に記載の広角光学系。
｜Ｈｐ｜／Ｒｐ＞０．６５      ・・・（２）
ただし、Ｈｐは、前記正レンズにおける物体側のレンズ面での最大像高に対応する光束の主光線高さ（光軸からの距離）であり、Ｒｐは、前記正レンズにおける物体側のレンズ面の最大有効半径である。【００１０】
３．前記（１）の条件式を満足する前記正レンズは、下記（３）の条件式を満足することを特徴とする前記１または２に記載の広角光学系。
Ｎｄｐ＞１．６      ・・・（３）
ただし、Ｎｄｐは、前記正レンズの屈折率である。【００１１】
４．前記（１）の条件式を満足する前記正レンズは、樹脂材料製レンズであることを特徴とする前記１ないし３のいずれか１項に記載の広角光学系。【００１２】
５．最物体側のレンズは、負レンズであり、下記（４）の条件式を満足することを特徴とする前記１ないし４のいずれか１項に記載の広角光学系。
３３＜νｄ１＜４７      ・・・（４）
ただし、νｄ１は、前記最物体側のレンズのアッベ数である。【００１３】
６．前記前群のレンズ群は、３枚のレンズから成り、前記後群のレンズ群は、１枚のレンズから成ることを特徴とする前記１ないし５のいずれか１項に記載の広角光学系。【００１４】
７．前記前群を３枚のレンズ、前記後群を３枚のレンズで構成することを特徴とする前記１ないし５のいずれか１項に記載の広角光学系。【００１５】
８．前記前群を４枚のレンズ、前記後群を２枚のレンズで構成することを特徴とする前記１ないし５のいずれか１項に記載の広角光学系。【００１６】
９．前記前群を３枚のレンズ、前記後群を２枚のレンズで構成することを特徴とする前記１ないし５のいずれか１項に記載の広角光学系。【００１７】
１０．物体側から順に数えた場合の第１レンズおよび第２レンズは、下記（５）の条件式を満足することを特徴とする前記１ないし９のいずれか１項に記載の広角光学系。
２．１＜Ｄ１２／ｆ＜５．３      ・・・（５）
ただし、Ｄ１２は、前記第１レンズと前記第２レンズとの間における光軸上間隔であり、ｆは、この広角光学系全系の焦点距離である。【００１８】
１１．物体側から順に数えた場合の第２レンズおよび第３レンズは、下記（６）の条件式を満足することを特徴とする前記１ないし１０のいずれか１項に記載の広角光学系。
１＜Ｄ２３／ｆ＜２．２      ・・・（６）
ただし、Ｄ２３は、前記第２レンズと前記第３レンズとの間における光軸上間隔であり、ｆは、この広角光学系全系の焦点距離である。【００１９】
１２．物体側から順に数えた場合の第３レンズおよび第４レンズは、下記（７）の条件式を満足することを特徴とする前記１ないし１１のいずれか１項に記載の広角光学系。
１．１＜Ｄ３４／ｆ＜１．７７      ・・・（７）
ただし、Ｄ３４は、前記第３レンズと前記第４レンズとの間における光軸上間隔であり、ｆは、この広角光学系全系の焦点距離である。【００２０】
１３．前記前群のレンズ群は、物体側から順に、物体側に凸の２枚の負メニスカスレンズおよび両凸の正レンズが配置されており、前記後群のレンズ群は、物体側から順に、両凸の正レンズが配置されていることを特徴とする前記１ないし１２のいずれか１項に記載の広角光学系。【００２１】
１４．物体側から順に、物体側に凸形状の負メニスカスレンズ、負レンズ、両凸レンズ、開口絞り、両凸レンズ、像側に凸形状の負メニスカスレンズ、両凸レンズの順に配置されていることを特徴とする前記１ないし５、７および１０ないし１２のいずれか１項に記載の広角光学系。【００２２】
１５．物体側から順に、物体側に凸形状の負メニスカスレンズ、負レンズ、両凸レンズ、正レンズ、開口絞り、正レンズ、像側に凸形状の負メニスカスレンズの順に配置されていることを特徴とする前記１ないし５、８および１０ないし１２のいずれか１項に記載の広角光学系。【００２３】
１６．物体側から順に、物体側に凸形状の負メニスカスレンズ、負レンズ、正レンズ、開口絞り、両凸レンズ、像側凸の負メニスカスレンズの順に配置されていることを特徴とする前記１ないし５および９ないし１２のいずれか１項に記載の広角光学系。【００２４】
１７．最物体側のレンズは、ガラス製レンズであることを特徴とする前記１ないし１６のいずれか１項に記載の広角光学系。【００２５】
また、この上述の広角光学系において、好ましくは、前記最物体側のレンズは、下記（８）の条件式を満足することを特徴とする。
ＤＡ１＜０．３５      ・・・（８）
ただし、ＤＡ１は、前記最物体側のレンズにおけるガラス材料の粉末を０．０１ｍｏｌ／ｌの硝酸水溶液中に入れて、沸騰水浴中で加熱し、その質量減（％）として算出される耐酸性の値である。【００２６】
１９．物体側から順に数えた場合の第２レンズは、少なくとも１面の非球面を有する樹脂材料製レンズであることを特徴とする前記１ないし１８のいずれか１項に記載の広角光学系。【００２７】
２０．物体側から順に数えた場合の第４レンズは、少なくとも１面の非球面を有する樹脂材料製レンズであることを特徴とする前記１ないし１９のいずれか１項に記載の広角光学系。【００２８】
２１．半画角９０度の光束の主光線について、下記（９）の条件式を満足することを特徴とする前記１ないし２０のいずれか１項に記載の広角光学系。
−０．３＜（Ｙｒ／２ｆ）−１＜０．７      ・・・（９）
ただし、Ｙｒは、像面上での主光線位置（光軸からの距離）であり、ｆは、広角光学系全系の焦点距離である。【００２９】
２２．下記（１０）の条件式を満足することを特徴とする前記１ないし２１のいずれか１項に記載の広角光学系。
Ｙ’／ＴＬ＞０．１      ・・・（１０）
ただし、Ｙ’は、最大像高であり、ＴＬは、最物体側のレンズ面における面頂点から像面までの光軸上距離（ただし、バックフォーカスは空気換算長）である。【００３０】
２３．下記（１１）の条件式を満足することを特徴とする前記１ないし２２のいずれか１項に記載の広角光学系。
｜Ｅｐ｜／Ｌｂ＞２．２      ・・・（１１）
ただし、Ｅｐは、最大像高主光線に対する射出瞳位置（像面からの距離）であり、Ｌｂは、バックフォーカス（空気換算長）である。【００３１】
２４．前記（１）の条件式を満足する前記正レンズより物体側の光学面、又は前記正レンズの物体側面に、紫外線の透過を抑制する手段を有することを特徴とする前記４ないし２３のいずれか１項に記載の広角光学系。【００３２】
２５．前記（１）の条件式を満足する前記正レンズの前記樹脂材料製レンズは、樹脂材料中に最大長が３０ナノメートル以下の粒子を分散させた素材を用いて成形したレンズであることを特徴とする前記４ないし２４のいずれか１項に記載の広角光学系。【００３３】
２６．また、これら上述の広角光学系において、好ましくは、前記樹脂材料製レンズは、樹脂材料中に最大長が３０ナノメートル以下の粒子を分散させた素材を用いて成形したレンズであることを特徴とする前記１９または２０に記載の広角光学系。【００３４】
２７．前記１ないし２６のいずれか１項に記載の広角光学系を備え、前記広角光学系が所定の結像面上に被写体の光学像を形成可能な構成とされていることを特徴とする撮像レンズ装置。【００３５】
２８．所定位置に取り付けられ、取り付けられた位置周辺の所定領域の被写体を撮像するモニタカメラであって、前記２７に記載の撮像レンズ装置と、前記撮像レンズ装置により導かれた被写体の光学像を電気的な信号に変換する撮像素子とを備えることを特徴とするモニタカメラ。【００３６】
２９．前記２７に記載の撮像レンズ装置と、前記撮像レンズ装置により導かれた被写体の光学像を電気的な信号に変換する撮像素子と、前記撮像レンズ装置および前記撮像素子に被写体の静止画撮影および動画撮影の少なくとも一方の撮影を行わせる制御部とを備えることを特徴とするデジタル機器。【００３７】
３０．前記撮像素子の受光面上に形成される前記被写体の光学像における歪みを補正する画像処理部をさらに備えることを特徴とする前記２９に記載のデジタル機器。
【発明の効果】
【００３８】
本発明によれば、開口絞りより物体側に前群のレンズ群を配置すると共に、開口絞りより像側に後群のレンズ群を配置することによって、広画角での軸外収差の補正が容易となる。また、前群のレンズ群に負レンズを配置することによって、いわゆるレトロフォーカスタイプ（逆望遠レンズ）となるため、広角、あるいは超広角に必要な短い焦点距離でも、充分なバックフォーカスを確保することができ、また、例えばＣＣＤ等の撮像素子に結像させる場合において、像面への光線入射角をテレセントリックに近づけることが可能となる。また、前群のレンズ群に少なくとも１枚の正レンズを配置することによって、ペッツバール和を抑えることができ、非点収差の補正が容易となる。超広角光学系では、通常、前群に強い負レンズを配置する必要があり、その際、倍率色収差が大きく発生してしまうが、前群に正レンズを配置することで、これらの収差を補正することが可能になる。【００３９】
また、前群のレンズ群に含まれる正レンズのうちの少なくとも１枚の正レンズが少なくとも１面の非球面を有することによって、球面収差、コマ収差、非点収差を大幅に改善することが可能となる。また、１枚の負レンズで所望の負の光学的パワーを得ようとすると曲率半径が小さくなって負レンズの製造が容易ではなくなるが、前群のレンズ群に少なくとも２枚の負レンズを配置することによって、所望の負の光学的パワーをこれら少なくとも２枚の負レンズに配分することが可能となって負レンズの製造が容易となる。この結果、生産性が改善され、低コスト化が可能となる。そして、条件式（１）の上限を上回ると、倍率色収差の補正が不充分となってコントラストの低下による画質の劣化が生じるが、前群のレンズ群が条件式（１）を満足するので、コントラストの低下が改善される。【００４０】
また、正レンズが条件式（１）を満足することによって、光学系をコンパクトにするため前群内の負レンズ、正レンズのパワーを強めたときに発生する倍率色収差を補正することが可能になる。したがって、このような構成の広角光学系は、より良好な光学性能を有し、コンパクト化（小型化）された広角光学系、撮像レンズ装置、モニタカメラおよびデジタル機器を提供することができる。
【図面の簡単な説明】
【００４１】
【図１】実施形態における広角光学系の説明のための、その構成を模式的に示したレンズ断面図である。
【図２】実施形態におけるデジタル機器の構成を示すブロック図である。
【図３】デジタル機器の一実施形態を示すカメラ付携帯電話機の外観構成図である。
【図４】デジタル機器の一実施形態を示す車載用のモニタカメラの概要を説明するための図である。
【図５】実施例１の広角光学系におけるレンズ群の配列を示す断面図である。
【図６】実施例２の広角光学系におけるレンズ群の配列を示す断面図である。
【図７】実施例３の広角光学系におけるレンズ群の配列を示す断面図である。
【図８】実施例４の広角光学系におけるレンズ群の配列を示す断面図である。
【図９】実施例５の広角光学系におけるレンズ群の配列を示す断面図である。
【図１０】実施例６の広角光学系におけるレンズ群の配列を示す断面図である。
【図１１】実施例７の広角光学系におけるレンズ群の配列を示す断面図である。
【図１２】実施例８の広角光学系におけるレンズ群の配列を示す断面図である。
【図１３】実施例９の広角光学系におけるレンズ群の配列を示す断面図である。
【図１４】実施例１０の広角光学系におけるレンズ群の配列を示す断面図である。
【図１５】実施例１１の広角光学系におけるレンズ群の配列を示す断面図である。
【図１６】実施例１２の広角光学系におけるレンズ群の配列を示す断面図である。
【図１７】実施例１３の広角光学系におけるレンズ群の配列を示す断面図である。
【図１８】実施例１４の広角光学系におけるレンズ群の配列を示す断面図である。
【図１９】実施例１５の広角光学系におけるレンズ群の配列を示す断面図である。
【図２０】実施例１６の広角光学系におけるレンズ群の配列を示す断面図である。
【図２１】実施例１７の広角光学系におけるレンズ群の配列を示す断面図である。
【図２２】実施例１８の広角光学系におけるレンズ群の配列を示す断面図である。
【図２３】実施例１９の広角光学系におけるレンズ群の配列を示す断面図である。
【図２４】実施例２０の広角光学系におけるレンズ群の配列を示す断面図である。
【図２５】実施例１の広角光学系におけるレンズ群の収差図である。
【図２６】実施例２の広角光学系におけるレンズ群の収差図である。
【図２７】実施例３の広角光学系におけるレンズ群の収差図である。
【図２８】実施例４の広角光学系におけるレンズ群の収差図である。
【図２９】実施例５の広角光学系におけるレンズ群の収差図である。
【図３０】実施例６の広角光学系におけるレンズ群の収差図である。
【図３１】実施例７の広角光学系におけるレンズ群の収差図である。
【図３２】実施例８の広角光学系におけるレンズ群の収差図である。
【図３３】実施例９の広角光学系におけるレンズ群の収差図である。
【図３４】実施例１０の広角光学系におけるレンズ群の収差図である。
【図３５】実施例１１の広角光学系におけるレンズ群の収差図である。
【図３６】実施例１２の広角光学系におけるレンズ群の収差図である。
【図３７】実施例１３の広角光学系におけるレンズ群の収差図である。
【図３８】実施例１４の広角光学系におけるレンズ群の収差図である。
【図３９】実施例１５の広角光学系におけるレンズ群の収差図である。
【図４０】実施例１６の広角光学系におけるレンズ群の収差図である。
【図４１】実施例１７の広角光学系におけるレンズ群の収差図である。
【図４２】実施例１８の広角光学系におけるレンズ群の収差図である。
【図４３】実施例１９の広角光学系におけるレンズ群の収差図である。
【図４４】実施例２０の広角光学系におけるレンズ群の収差図である。
【図４５】実施例２１の広角光学系におけるレンズ群の配列を示す断面図である。
【図４６】実施例２２の広角光学系におけるレンズ群の配列を示す断面図である。
【図４７】実施例２３の広角光学系におけるレンズ群の配列を示す断面図である。
【図４８】実施例２１の広角光学系におけるレンズ群の収差図である。
【図４９】実施例２２の広角光学系におけるレンズ群の収差図である。
【図５０】実施例２３の広角光学系におけるレンズ群の収差図である。
【符号の説明】
【００４２】
ＡＸ  光軸
１、１Ａ〜１Ｔ  広角光学系
３  デジタル機器
５  携帯電話機
７  モニタカメラ
９  車両
１１、Ｇｒ１  前群のレンズ群
１２、Ｇｒ２  後群のレンズ群
１５、ＳＲ  撮像素子
２１  撮像装置
【発明を実施するための最良の形態】
【００４３】
以下、本発明に係る実施の一形態を図面に基づいて説明する。なお、各図において同一の符号を付した構成は、同一の構成であることを示し、その説明を省略する。【００４４】
図１は、実施形態における広角光学系の説明のための、その構成を模式的に示したレンズ断面図である。【００４５】
図１において、この広角光学系１は、所定の結像面上に、例えば、光学像を電気的な信号に変換する撮像素子１５の受光面（像面）上に物体（被写体）の光学像を形成可能な構成とされている撮像レンズ装置に好適に備えられるものであって、開口絞り１３を挟んで前群のレンズ群１１と後群のレンズ群１２とから成る光学系である。なお、図１で例示した広角光学系１は、後述する実施例１の広角光学系１Ａ（図５）と同じ構成である。【００４６】
図１では、開口絞り１３に対し物体側に配置される前群のレンズ群１１は、物体側に凸の負メニスカスレンズ１１１と、物体側に凸の負メニスカスレンズ１１２と、両凸の正レンズ１１３とから構成されて成り、開口絞り１３に対し像側に配置される後群のレンズ群１２は、両凸の正レンズ１２１から構成される例を示している。すなわち、図１に示す広角光学系は、物体側より像側へ順に、負メニスカスレンズ１１１と、負メニスカスレンズ１１２と、正レンズ１１３と、開口絞り１３と、正レンズ１２１とを含んでいる。そして、物体側から順に数えた場合の第２、第３および第４レンズである負メニスカスレンズ１１２、正レンズ１１３および正レンズ１２１は、それぞれ、両面が非球面である。さらに、これら負メニスカスレンズ１１２、正レンズ１１３および正レンズ１２１は、それぞれ、例えばプラスチックなどの樹脂材料製レンズである。【００４７】
このように図１に示す広角光学系１は、前群のレンズ群１１が少なくとも２枚の負レンズと、少なくとも１枚の正レンズとを含んでおり、前群のレンズ群１１に含まれる正レンズのうちの少なくとも１枚の正レンズは、少なくとも１面の非球面を有している。【００４８】
さらに、この広角光学系１は、前群のレンズ群１１に含まれる正レンズのうちのアッベ数の最小値をνｄｐとする場合に、前群のレンズ群１１は、下記（１）の条件式を満たすものとされる。【００４９】
νｄｐ＜２９      ・・・（１）
このような構成の広角光学系１では、開口絞り１３を挟んで前群のレンズ群１１と後群のレンズ群１２とを配置することによって、広画角での軸外収差の補正が容易となる。また、前群のレンズ群１１に負レンズ、図１に示す例では２枚の負メニスカスレンズ１１１、１１２を配置することによって、いわゆるレトロフォーカスタイプ（逆望遠レンズ）となるため、広角、あるいは超広角に必要な短い焦点距離でも、充分なバックフォーカスを確保することができ、また、撮像素子１５に結像させる場合において、像面への光線入射角をテレセントリックに近づけることが可能となる。また、前群のレンズ群１１に少なくとも１枚の正レンズ、図１に示す例では正レンズ１１３を配置することによって、ペッツバール和を抑えることができ、非点収差の補正が容易となる。また、前群のレンズ群１１に含まれる正レンズのうちの少なくとも１枚の正レンズが少なくとも１面の非球面、図１に示す例では２面の非球面を有することによって、球面収差、コマ収差、非点収差を大幅に改善することが可能となる。また、１枚の負レンズで所望の負の光学的パワーを得ようとすると曲率半径が小さくなって負レンズの製造が容易ではなくなるが、前群のレンズ群１１に少なくとも２枚の負レンズ、図１に示す例では２枚の負メニスカスレンズ１１１、１１２を配置することによって、所望の負の光学的パワーをこれら少なくとも２枚の負レンズに配分することが可能となって負レンズの製造が容易となる。この結果、生産性が改善され、低コスト化が可能となる。そして、条件式（１）の上限を上回ると、倍率色収差の補正が不充分となってコントラストの低下による画質の劣化が生じるが、前群のレンズ群１１が条件式（１）を満足するので、コントラストの低下が改善される。したがって、このような構成の広角光学系１は、より良好な光学性能を有し、低コスト化およびコンパクト化（小型化）される。【００５０】
また、より倍率色収差を効果的に補正する観点から、広角光学系１は、下記条件式（１’）を満たすことがより一層好ましい。【００５１】
νｄｐ＜２５      ・・・（１’）
さらに、この広角光学系１の像側には、フィルタ１４や撮像素子１５が配置されている。フィルタ１４は、平行平板状の光学素子であり、各種光学フィルタや、撮像素子のカバーガラス等を模式的に表したものである。使用用途、撮像素子、カメラの構成等に応じて、ローパスフィルタ、赤外線カットフィルタなどの光学フィルタを適宜に配置することが可能である。撮像素子１５は、この広角光学系１によって結像された被写体の光学像における光量に応じてＲ（赤）、Ｇ（緑）、Ｂ（青）の各成分の画像信号に光電変換して所定の画像処理回路（不図示）へ出力する素子である。これらによって物体側の被写体光学像が、広角光学系１によってその光軸ＡＸに沿って撮像素子１５の受光面まで導かれ、撮像素子１５によって前記被写体の光学像が撮像される。【００５２】
また、この広角光学系１では、条件式（１）を満足する正レンズは、樹脂材料製レンズである。このため、広角光学系１の低コスト化を図ることが可能となる。【００５３】
また、この広角光学系１では、物体側から順に数えた場合の第２レンズは、少なくとも１面の非球面を有する樹脂材料製レンズである。すなわち図１に示す例では負メニスカスレンズ１１２は、両面が非球面である樹脂材料製レンズである。このように物体側から順に数えた場合の第２レンズが少なくとも１面の非球面を有するので、歪曲収差を効果的に補正することが可能となる。また、このように少なくとも１面に非球面を有する第２レンズを樹脂材料製レンズとすることによって、低コストで比較的高性能なレンズを得ることが可能となる。【００５４】
また、この広角光学系１では、物体側から順に数えた場合の第４レンズは、少なくとも１面の非球面を有する樹脂材料製レンズである。すなわち図１に示す例では正レンズ１２１は、両面が非球面である樹脂材料製レンズである。このように物体側から順に数えた場合の第４レンズが少なくとも１面の非球面を有するので、球面収差、コマ収差および非点収差を効果的に補正することが可能となる。また、このように少なくとも１面に非球面を有する第４レンズを樹脂材料製レンズとすることによって、低コストで比較的高性能なレンズを得ることが可能となる。【００５５】
また、この広角光学系１では、物体側から順に数えた場合の負の第２レンズおよび正の第４レンズは、樹脂材料製レンズである。すなわち図１に示す例では負メニスカスレンズ１１２および正レンズ１２１は、樹脂材料製レンズである。このため、車載用途や監視用途等の用途のように使用温度範囲が比較的広い場合でも、温度変化に対するバックフォーカスの変動を抑えることが可能となる。【００５６】
また、この広角光学系１では、前群のレンズ群１１は、３枚のレンズから構成されて成り、後群のレンズ群１２は、１枚のレンズから構成されて成っている。このため、収差の補正およびコンパクト化が可能となっており、さらに低コスト化も可能となっている。【００５７】
また、この広角光学系１では、前群のレンズ群１１は、３枚のレンズから構成されて成り、後群のレンズ群１２は、３枚のレンズから構成されて成っている。前群を負レンズ２枚と正レンズ１枚の計３枚で構成することにより、収差補正上、最小限の枚数で、超広角化に伴う負パワーの増大を２枚の負レンズで分担することができ、かつ正レンズにおいて、負レンズにより発生する倍率色収差と非点収差を良好に補正できる。また枚数が少ないため、低コスト化が図れる。後群を３枚のレンズで構成することにより、球面収差と軸上色収差の良好な補正に加え、偏芯誤差感度を抑制し生産性を改善することが可能となる。【００５８】
また、この広角光学系１では、前群のレンズ群１１は、４枚のレンズから構成されて成り、後群のレンズ群１２は、２枚のレンズから構成されて成っている。前群を４枚のレンズで構成することにより、レンズ外径の大きい負レンズの面角度を緩めることができ、前群３枚構成の場合に比べて負レンズの生産性を改善することができる。また後群を２枚のレンズで構成することにより、球面収差と軸上色収差を良好に補正することができる。【００５９】
また、この広角光学系１では、前群のレンズ群１１は、３枚のレンズから構成されて成り、後群のレンズ群１２は、２枚のレンズから構成されて成っている。前群を負レンズ２枚と正レンズ１枚の計３枚で構成することにより、収差補正上、最小限の枚数で、超広角化に伴う負パワーの増大を２枚の負レンズで分担することができ、かつ正レンズにおいて、負レンズにより発生する倍率色収差と非点収差を良好に補正できる。また枚数が少ないため、低コスト化が図れる。後群を２枚のレンズで構成することにより、球面収差と軸上色収差を良好に補正することができる。【００６０】
また、この広角光学系１では、前群のレンズ群１１は、物体側から順に、物体側に凸の２枚の負メニスカスレンズ１１１、１１２および両凸の正レンズ１１３が配置されており、後群のレンズ群１２は、物体側から順に、両凸の正レンズ１２１が配置されている。このため、広画角、あるいは超広画角を達成しつつ、各レンズの光学的パワーを抑え、レンズの生産性の改善が可能となる。また、物体側から順に２枚の負メニスカスレンズ１１１、１１２を配置することによって、各負レンズの光学的パワーを抑えつつバックフォーカスを充分に確保することが可能となる。また、その像側（負メニスカスレンズ１１２の像側）に、開口絞り１３を挟んで２枚の両凸の正レンズ１１３、１２１を配置することによって、開口絞り１３に対して対称形となって歪曲収差や非点収差が効果的に補正される。【００６１】
また、この広角光学系１において、条件式（１）を満足する正レンズは、前記正レンズにおける物体側のレンズ面での最大像高に対応する光束の主光線高さ（光軸からの距離）をＨｐとし、前記正レンズにおける物体側のレンズ面の最大有効半径をＲｐとする場合に、下記（２）の条件式を満足することが好ましい。
｜Ｈｐ｜／Ｒｐ＞０．６５      ・・・（２）
この条件式（２）の下限を下回ると、倍率色収差の補正が不充分となって好ましくないが、上述した（１）の条件式を満足する正レンズが条件式（２）を満足するので、倍率色収差の補正が可能となる。【００６２】
また、この広角光学系１において、条件式（１）を満足する正レンズは、前記正レンズの屈折率をＮｄｐとする場合に、下記（３）の条件式を満足することが好ましい。
Ｎｄｐ＞１．６      ・・・（３）
この条件式（３）の下限を下回ると、ペッツバール和の抑制が困難となって非点収差の補正が不充分となり、好ましくないが、上述した（１）の条件式を満足する正レンズが条件式（３）を満足するので、ペッツバール和を小さくし、非点収差の補正が可能となる。【００６３】
また、この広角光学系１において、条件式（１）を満足する正レンズは、下記（３’）の条件式を満足することがより好ましい。
Ｎｄｐ＞１．６２      ・・・（３’）
このように条件式（１）を満足する正レンズが条件式（３’）を満足することによって、非点収差をより効果的に補正することが可能となる。【００６４】
また、この広角光学系１において、最物体側のレンズは、負レンズであり、この最物体側のレンズのアッベ数をνｄ１とする場合に、下記（４）の条件式を満足することが好ましい。
３３＜νｄ１＜４７      ・・・（４）
この構成では、最物体側に負レンズを配置することによって、バックフォーカスが確保され、像面へのテレセントリック性がより良好となる。そして、条件式（４）の上限を上回ると、あるいは下限を下回ると、いずれの場合でも倍率色収差の補正が困難となって好ましくないが、最物体側のレンズが（４）の条件式を満足するので、倍率色収差の補正が可能となる。【００６５】
また、この広角光学系１において、物体側から順に数えた場合の第１レンズおよび第２レンズは、前記第１レンズと前記第２レンズとの間における光軸上間隔をＤ１２とし、広角光学系１全系の焦点距離をｆとする場合に、下記（５）の条件式を満足することが好ましい。
２．１＜Ｄ１２／ｆ＜５．３      ・・・（５）
この条件式（５）の上限を上回ると、第１レンズ、すなわち図１に示す例では負メニスカスレンズ１１１の外径が大きくなり過ぎて広角光学系１のコンパクト化が困難となって好ましくない。そして、この条件式（５）の下限を下回ると、第１レンズの像面側面および第２レンズ、すなわち図１に示す例では負メニスカスレンズ１１２の物体側面の光学的パワーを強めることが困難となる結果、第２レンズの像側面の曲率が非常に大きくなってしまい好ましくない。加えて、第１レンズと第２レンズとの合成光学的パワーが強くなり過ぎて歪曲収差の補正が困難となって好ましくない。しかしながら、物体側から順に数えた場合の第１レンズおよび第２レンズが条件式（５）を満足するので、コンパクト化および歪曲収差の補正が可能となる。【００６６】
また、この広角光学系１において、物体側から順に数えた場合の第１レンズおよび第２レンズは、下記（５’）の条件式を満足することがより好ましい。
２．５＜Ｄ１２／ｆ＜４．５      ・・・（５’）
この条件式（５’）の上限を上回ると、第１レンズと第２レンズとの合成光学的パワーが弱まるため、像面へのテレセントリック性が悪化してしまう。また、この条件式（５’）の下限を下回ると、第１レンズと第２レンズのコバ部の干渉が生じ易くなるため、これを避けるためにレンズ形状または鏡筒形状が複雑化してしまう。【００６７】
また、この広角光学系１において、物体側から順に数えた場合の第２レンズおよび第３レンズは、第２レンズと前記第３レンズとの間における光軸上間隔をＤ２３とし、広角光学系１全系の焦点距離をｆとする場合に、下記（６）の条件式を満足することが好ましい。
１＜Ｄ２３／ｆ＜２．２      ・・・（６）
この条件式（６）の上限を上回ると、この広角光学系１の光学全長や前玉のレンズ外径が大幅に増加して広角光学系１のコンパクト化が困難となる。また、この条件式（６）の下限を下回ると、第２レンズおよび第３レンズ、すなわち図１に示す例では負メニスカスレンズ１１２および正レンズ１１３のコバ部の干渉が生じ易くなるので、これを避けるために、レンズ形状または鏡筒形状が複雑化してしまって好ましくない。しかしながら、物体側から順に数えた場合の第２レンズおよび第３レンズが条件式（６）を満足するので、コンパクト化が可能となり、また、レンズ形状または鏡筒形状の複雑化を避けることが可能となる。【００６８】
また、この広角光学系１において、物体側から順に数えた場合の第３レンズおよび第４レンズは、第３レンズと前記第４レンズとの間における光軸上間隔をＤ３４とし、広角光学系１全系の焦点距離をｆとする場合に、下記（７）の条件式を満足することが好ましい。
１．１＜Ｄ３４／ｆ＜１．７７      ・・・（７）
この条件式（７）の上限を上回ると、第３レンズと第４レンズ、すなわち図１に示す例では正レンズ１１３と正レンズ１２１との合成光学的パワーが弱まるため、歪曲収差の補正や像面へのテレセントリック性の確保が困難となって好ましくない。また、この条件式（７）の下限を下回ると、第３レンズや第４レンズの共軸系ならびに偏芯系の誤差感度が上昇してしまってコストがアップしてしまい好ましくない。加えて、第３レンズと第４レンズの軸外光線通過位置が低くなるため、倍率色収差、非点収差、コマ収差および歪曲収差の補正が不充分となり好ましくない。しかしながら、物体側から順に数えた場合の第３レンズおよび第４レンズが条件式（７）を満足するので、歪曲収差の補正や像面へのテレセントリック性の確保が可能となり、また、コストアップを回避することが可能となり、そして、倍率色収差、非点収差、コマ収差および歪曲収差の補正が可能となる。【００６９】
また、この広角光学系１において、物体側から順に、物体側に凸形状の負メニスカスレンズ、負レンズ、両凸レンズ、開口絞り、両凸レンズ、像側に凸形状の負メニスカスレンズ、両凸レンズの順に配置されていることが好ましい。この構成を採ることで、超広画角を達成しつつも、各々のレンズパワーを抑え、レンズの生産性を改善することができる。特に物体側から負レンズ２枚を配置することで、負レンズのパワーを抑えた状態で十分なバックフォーカス確保が可能となり、またその像側に絞りを挟んで両凸レンズ２枚と負メニスカスレンズを配置することで、レンズ全系での絞りに関する対称性が非常に良くなり、歪曲収差や非点収差の補正効果が高まる。【００７０】
また、この広角光学系１において、物体側から順に、物体側に凸形状の負メニスカスレンズ、負レンズ、両凸レンズ、正レンズ、開口絞り、正レンズ、像側に凸形状の負メニスカスレンズの順に配置されていることが好ましい。この構成を採ることで、超広画角を達成しつつも、各々のレンズパワーを抑え、レンズの生産性を改善することができる。特に物体側から負レンズ２枚を配置することで、負レンズのパワーを抑えた状態で十分なバックフォーカス確保が可能となり、またその像側に絞りを挟んで正レンズ３枚と負メニスカスレンズを配置することで、レンズ全系での絞りに関する対称性が非常に良くなり、歪曲収差や非点収差の補正効果が高まる。絞りより物体側の正レンズを２枚に分割することで、非点収差や倍率色収差だけでなく、球面収差や軸上色収差の発生を抑えることが可能となり、高画質化が図れる。【００７１】
また、この広角光学系１において、物体側から順に、物体側に凸形状の負メニスカスレンズ、負レンズ、正レンズ、開口絞り、両凸レンズ、像側凸の負メニスカスレンズの順に配置されていることが好ましい。この構成を採ることで、超広画角を達成しつつも、各々のレンズパワーを抑え、レンズの生産性を改善することができる。特に物体側から負レンズ２枚を配置することで、負レンズのパワーを抑えた状態で十分なバックフォーカス確保が可能となり、またその像側に絞りを挟んで正レンズ３枚と負メニスカスレンズを配置することで、絞りに関する対称性が非常に良くなり、歪曲収差や非点収差の補正効果が高まる。絞りより物体側の正レンズを２枚に分割することで、非点収差や倍率色収差だけでなく、球面収差や軸上色収差の発生を抑えることが可能となり、高画質化が図れる。【００７２】
また、この広角光学系１において、最物体側のレンズは、ガラス製レンズであることが好ましい。このように、最物体側のレンズ、図１に示す例では負メニスカスレンズ１１１をガラス製レンズで構成することによって、例えば、広角光学系１の前にレンズ保護部材が配置されずにこの最物体側のレンズが剥き出しとなっても、高強度であり、耐傷性の向上が可能となる。このため、傷に起因するフレアの発生を低減することができ、撮像性能の悪化を抑制することができる。【００７３】
そして、このようなガラス正レンズの最物体側のレンズは、この最物体側のレンズにおけるガラス材料の粉末を０．０１ｍｏｌ／ｌの硝酸水溶液中に入れて、沸騰水浴中で加熱し、その質量減（％）として算出される耐酸性の値をＤＡ１とする場合に、下記（８）の条件式を満足することが好ましい。
ＤＡ１＜０．３５      ・・・（８）
この条件式（８）の上限を上回ると、最物体側のレンズが剥き出しの状態で外的環境に晒された場合に、例えばいわゆるヤケ等の化学反応が生じてしまって広角光学系１の光学特性が低下してしまい好ましくないが、最物体側のレンズが条件式（８）を満足するので、光学特性の低下を抑えることができる。ここで、この数値および測定方法は、ＨＯＹＡ株式会社の光学ガラスカタログの記載または株式会社住田光学ガラスの光学ガラスカタログの記載を採用している。【００７４】
また、この広角光学系１において、半画角９０度の光束の主光線について、像面上での主光線位置（光軸からの距離）をＹｒとし、広角光学系１の全系の焦点距離をｆとする場合に、下記（９）の条件式を満足することが好ましい。
−０．３＜（Ｙｒ／２ｆ）−１＜０．７      ・・・（９）
この条件式（９）の上限を上回ると、軸外収差、特に、非点収差および倍率色収差の補正が困難となって好ましくない。また、この条件式（９）の下限を下回ると、周辺画像の圧縮率が高すぎて周辺部の情報量が欠落してしまい、この結果、画像処理によって補正を行ったとしても周辺部の解像度が低下してしまって好ましくない。しかしながら、半画角９０度の光束の主光線について、条件式（９）を満足するので、軸外収差の補正が可能となり、また、周辺部の情報量の欠落を抑えることが可能となる。【００７５】
また、この広角光学系１において、半画角９０度の光束の主光線について、下記（９’）の条件式を満足することがより好ましい。
−０．２＜（Ｙｒ／２ｆ）−１＜０．６      ・・・（９’）
この条件式（９’）の上限を上回ると、軸外収差の補正のためにレンズの枚数を増やす必要が生じ、光学全長が増加してしまい、またコストアップに繋がってしまう。また、この条件式（９’）の下限を下回ると、周辺部の情報量が乏しくなって広画角をモニタリング（監視）するメリットが失われてしまう。【００７６】
また、この広角光学系１において、最大像高をＹ’とし、最物体側のレンズ面における面頂点から像面までの光軸上距離（ただし、バックフォーカスは空気換算長）をＴＬとする場合に、下記（１０）の条件式を満足することが好ましい。
Ｙ’／ＴＬ＞０．１      ・・・（１０）
この条件式（１０）の下限を下回ると、広角光学系１の光学全長が増加してしまって広角光学系１のコンパクト化が困難となり、好ましくないが、条件式（１０）を満足するので、広角光学系のコンパクト化が可能となる。【００７７】
また、この広角光学系１において、下記（１０’）の条件式を満足することがより好ましい。
Ｙ’／ＴＬ＞０．１２      ・・・（１０’）
この条件式（１０’）の下限を下回ると、前玉のレンズ外径が大型化してしまって広角光学系１のコンパクト化が困難となる。【００７８】
また、この広角光学系１において、最大像高主光線に対する射出瞳位置（像面からの距離）をＥｐとし、バックフォーカス（空気換算長）をＬｂとする場合に、下記（１１）の条件式を満足することが好ましい。
｜Ｅｐ｜／Ｌｂ＞２．２      ・・・（１１）
この条件式（１１）の下限を下回ると、撮像面の手前にレンズアレイを配置したとしても、周辺照度の低下を抑制することが困難となるが、条件式（１１）を満足するので、周辺照度の低下を抑制することが可能となる。【００７９】
また、この広角光学系１において、下記（１１’）の条件式を満足することがより好ましい。
｜Ｅｐ｜／Ｌｂ＞２．６      ・・・（１１’）
この条件式（１１’）の下限を下回ると、シェーディングによる周辺照度の劣化が目立って画像周辺部の情報量が減少してしまう。【００８０】
また、この広角光学系１において、最物体側のレンズを除き、空気と面しているレンズ面は、すべて非球面であることが好ましい。このように構成することによって、広角光学系１のコンパクト化と高画質化との両立を図ることが可能となる。【００８１】
また、この広角光学系１において、前記（１）の条件式を満足する前記正レンズより物体側の光学面、又は前記正レンズの物体側面に、紫外線の透過を抑制する手段を有することが好ましい。この構成を採ることで、紫外線の照射による樹脂構造の破壊に伴う、可視域短波長側の透過率が低下することなく、画像の色再現性を良好に保つことが可能となる。【００８２】
また、この広角光学系１において、非球面を有するガラスレンズは、ガラスモールド非球面レンズや、研削非球面ガラスレンズや、複合型非球面レンズ（球面ガラスレンズ上に非球面形状の樹脂を形成したもの）であってもよい。ガラスモールド非球面レンズは、大量生産に向き好ましく、複合型非球面レンズは、基板となり得るガラス材料の種類が多いため、設計の自由度が高くなる。特に、高屈折率材料を用いた非球面レンズでは、モールド形成が容易ではないため、複合型非球面レンズが好ましい。また、片面非球面の場合には、複合型非球面レンズの利点を最大限に活用することが可能となる。【００８３】
また、この広角光学系１において、最物体側のレンズは、ヌープ硬さをＨｋ１とし、直径４３．７ｍｍ（両面で３０ｃｍ２）で厚さ約５ｍｍの対面研磨されたガラス材料を、よく撹拌されている５０℃、０．０１ｍｏｌ／ｌの三リン酸五ナトリウム（Ｎａ５Ｐ３Ｏ１０）水溶液中に、１時間浸漬した場合の単位面積当たりの質量減（ｍｇ／（ｃｍ２・ｈ）の値をＤＳ１とする場合に、下記（１２）および（１３）の条件式のいずれか一方または両方を満足することが好ましい。
Ｈｋ１＞３５０      ・・・（１２）
ＤＳ１≦０．０１      ・・・（１３）
この条件式（１２）および（１３）の少なくとも一方を満足するガラス材料は、頑健性、耐薬品性および防水性等に優れている。最物体側のレンズは、このようなガラス材料のレンズであるので、例えば、広角光学系１の前にレンズ保護部材が配置されずに最物体側のレンズが剥き出しとなっても、頑健性、耐薬品性および防水性等に優れ、撮像性能の悪化を抑制することができ、好ましい。特に、車載用途においては、最前面が剥き出しに成ることが多く、好適である。【００８４】
また、この広角光学系１において、前記（１）の条件式を満足する前記正レンズの前記樹脂材料製レンズは、樹脂材料中に最大長が３０ナノメートル以下の粒子を分散させた素材を用いて成形したレンズであることが好ましい。【００８５】
また、この広角光学系１において、樹脂材料製レンズ、例えば、図１に示す例では、物体側から順に数えた場合の第２レンズや第４レンズは、樹脂材料中に最大長が３０ナノメートル以下の粒子を分散させた素材を用いて成形したレンズであることが好ましい。【００８６】
一般に透明な樹脂材料に微粒子を混合すると光の散乱が生じて透過率が低下するため、光学材料として使用することが困難であった。しかしながら、微粒子の大きさを透過光束の波長より小さくすることによって、散乱が実質的に発生しないように樹脂材料を構成することができる。【００８７】
屈折率の温度変化について説明すると、屈折率の温度変化ｎ（Ｔ）は、ローレンツ・ローレンツの式に基づいて、屈折率ｎを温度Ｔで微分することによって式１４で表される。ｎ（Ｔ）＝（（ｎ２＋２）×（ｎ２−１））／６ｎ×（−３α＋（１／［Ｒ］）×（∂［Ｒ］／∂Ｔ））      ・・・（１４）
ただし、αは、線膨張係数であり、［Ｒ］は、分子屈折である。【００８８】
樹脂材料の場合では、一般に、屈折率の温度依存性に対する寄与は、式１４中の第１項に較べて第２項が小さく、ほぼ無視することができる。例えば、ＰＭＭＡ樹脂の場合では、線膨張係数αは、７×１０−５であって、式１４に代入すると、ｎ（Ｔ）＝−１．２×１０−４（／℃）となり、実測値と略一致する。【００８９】
樹脂材料は、温度の上昇によって屈折率が低下するが、無機粒子は、温度の上昇によって屈折率が上昇する。このため、これらの温度依存性を利用することによって、互いにその温度依存性を打ち消し合うように作用させることによって、屈折率変化がほとんど生じないように樹脂材料を構成することができる。例えば、母材となる樹脂材料に最大長が３０ナノメートル以下の無機粒子を分散することによって、屈折率の温度依存性の極めて低い樹脂材料を構成することが可能となる。例えば、アクリルに酸化ニオブ（Ｎｂ２Ｏ５）の微粒子を分散させることによって、温度変化による屈折率変化の小さい材料を生成することが可能となる。上記構成によれば、前記（１）の条件式を満足する前記正レンズの前記樹脂材料製レンズに、あるいは、前記（１）の条件式を満足する前記正レンズを除くレンズの樹脂材料製レンズに、このような無機粒子を分散させた樹脂材料を用いることによって、本広角光学系の環境温度変化に伴うバックフォーカスのずれを小さく抑えることが可能となる。【００９０】
広角光学系１の環境温度変化に伴うバックフォーカスのずれを小さく抑える観点から、屈折率の温度変化ｎ（Ｔ）は、絶対値で８×１０−５（／℃）未満であることが好ましく、さらに、絶対値で６×１０−５（／℃）未満であることが好ましい。屈折率の温度変化ｎ（Ｔ）が絶対値で６×１０−５（／℃）未満である場合には、広角光学系１の環境温度変化に伴うバックフォーカスのずれ量は、約半分に抑えられる。【００９１】
よって、このような樹脂材料としては、ポリオレフィン系の樹脂材料やポリカーボネイト系の樹脂材料が好ましい。ポリオレフィン系の樹脂材料では、屈折率の温度変化ｎ（Ｔ）は、約−１１×１０−５（／℃）となり、ポリカーボネイト系の樹脂材料では、屈折率の温度変化ｎ（Ｔ）は、約−１４×１０−５（／℃）となる。
＜広角光学系を組み込んだデジタル機器の説明＞
次に、上述の広角光学系１を備えたデジタル機器について説明する。【００９２】
図２は、実施形態におけるデジタル機器の構成を示すブロック図である。図２において、デジタル機器３は、撮像機能のために、撮像部３０、画像生成部３１、画像データバッファ３２、画像処理部３３、駆動部３４、制御部３５、記憶部３６およびＩ／Ｆ部３７を備えて構成される。デジタル機器３としては、例えば、デジタルスチルカメラ、デジタルビデオカメラ、監視用や車載用等の用途のモニタカメラ、携帯電話機や携帯情報端末（ＰＤＡ）等の携帯端末、パーソナルコンピュータおよびモバイルコンピュータを挙げることができ、これらの周辺機器（例えば、マウス、スキャナおよびプリンタなど）を含んでよい。【００９３】
撮像部３０は、撮像装置２１と撮像素子１６とを備えて構成される。撮像装置２１は、図１に示したような広角光学系１を備え、広角光学系１が所定の結像面上に、図２に示す例では撮像素子１６上に被写体の光学像を形成可能な構成とされている図略の撮像レンズ装置と、光軸方向にレンズを駆動しフォーカシングを行うための図略のレンズ駆動装置等とを備えて構成されている。被写体からの光線は、広角光学系１によって撮像素子１６の受光面上に結像され、被写体の光学像となる。【００９４】
撮像素子１６は、撮像装置２１の撮像レンズ装置により導かれた被写体の光学像を電気的な信号に変換する素子であり、上述したように、広角光学系１により結像された被写体の光学像をＲ、Ｇ、Ｂの色成分の電気信号（画像信号）に変換し、Ｒ、Ｇ、Ｂ各色の画像信号として画像生成部３１に出力する。撮像素子１６は、制御部３５によって静止画あるいは動画のいずれか一方の撮像、または、撮像素子１６における各画素の出力信号の読出し（水平同期、垂直同期、転送）等の撮像動作が制御される。撮像装置１６は、例えば、ＣＣＤやＣＭＯＳ等の固体撮像素子であってよく、またカラーの撮像素子やモノクロの撮像素子であってよい。【００９５】
画像生成部３１は、撮像素子１６からのアナログ出力信号に対し、増幅処理、デジタル変換処理などを行うと共に、画像全体に対して適正な黒レベルの決定、γ補正、ホワイトバランス調整（ＷＢ調整）、輪郭補正および色ムラ補正などの周知の画像処理を行って、画像信号から各画素の画像データを生成する。画像生成部３１で生成された画像データは、画像データバッファ３２に出力される。【００９６】
画像データバッファ３２は、画像データを一時的に記憶するとともに、この画像データに対し画像処理部３３によって後述の処理を行うための作業領域として用いられるメモリであり、例えば、揮発性の記憶素子であるＲＡＭ（Random Access Memory）などで構成される。【００９７】
画像処理部３３は、画像データバッファ３２の画像データに対し、解像度変換等の画像処理を行う回路である。また、必要に応じて画像処理部３３は、撮像素子１６の受光面上に形成される被写体の光学像における歪みを補正する公知の歪み補正処理等の、広角光学系１では補正しきれなかった収差を補正するように構成されてもよい。歪み補正によって、収差、例えば歪曲収差によって歪んだ画像を肉眼で見える光景と同様な相似形の略歪みのない自然な画像に補正することが可能となる。【００９８】
駆動部３４は、制御部３５から出力される制御信号に基づいて図略の前記レンズ駆動装置を動作させることによって、広角光学系１のフォーカシングを行う回路である。【００９９】
制御部３５は、例えばマイクロプロセッサ、記憶素子およびその周辺回路などを備えて構成され、撮像部３０、画像生成部３１、画像データバッファ３２、画像処理部３３、駆動部３４、記憶部３６およびＩ／Ｆ部３７の各部の動作をその機能に従って制御する。すなわち、この制御部３５によって、撮像装置２１は、被写体の静止画撮影および動画撮影の少なくとも一方の撮影を実行するよう制御される。【０１００】
記憶部３６は、被写体の静止画撮影または動画撮影によって生成された画像データを記憶する記憶回路であり、例えば、不揮発性の記憶素子であるＲＯＭ（Ｒｅａｄ  Ｏｎｌｙ  Ｍｅｍｏｒｙ）や、書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）や、ＲＡＭなどを備えて構成される。つまり、記憶部３６は、静止画用および動画用のメモリとしての機能を有する。【０１０１】
Ｉ／Ｆ部３７は、外部機器と画像データを送受信するインターフェースであり、例えば、ＵＳＢやＩＥＥＥ１３９４などの規格に準拠したインターフェースである。【０１０２】
このような構成のデジタル機器３の撮像動作に次について説明する。【０１０３】
静止画を撮影する場合は、制御部３５は、撮像装置２１に静止画の撮影を行わせるように制御すると共に、駆動部３４を介して撮像装置２１の図略の前記レンズ駆動装置を動作させ、フォーカシングを行う。これにより、ピントの合った光学像が撮像素子１６の受光面に周期的に繰り返し結像され、Ｒ、Ｇ、Ｂの色成分の画像信号に変換された後、画像生成部３１に出力される。その画像信号は、画像データバッファ３２に一時的に記憶され、画像処理部３３により画像処理が行われた後、その画像信号に基づく画像が図略のディスプレイ（表示装置）に表示される。そして、撮影者は、前記ディスプレイを参照することで、主被写体をその画面中の所望の位置に収まるように調整することが可能となる。この状態でいわゆる図略のシャッタボタンが押されることによって、静止画用のメモリとしての記憶部３６に画像データが格納され、静止画像が得られる。【０１０４】
また、動画撮影を行う場合は、制御部３５は、撮像装置２１に動画の撮影を行わせるように制御する。後は、静止画撮影の場合と同様にして、撮影者は、前記ディスプレイを参照することで、撮像装置２１を通して得た被写体の像が、その画面中の所望の位置に収まるように調整することができる。この場合において、静止画撮影と同様に、前記シャッタボタンを押すことによって、動画撮影が開始される。【０１０５】
動画撮影時、制御部３５は、撮像装置２１に動画の撮影を行わせるように制御すると共に、駆動部３４を介して撮像装置２１の前記レンズ駆動装置を動作させ、フォーカシングを行う。これによって、ピントの合った光学像が撮像素子１６の受光面に周期的に繰り返し結像され、Ｒ、Ｇ、Ｂの色成分の画像信号に変換された後、画像生成部３１に出力される。その画像信号は、画像データバッファ３２に一時的に記憶され、画像処理部３３により画像処理が行われた後、その画像信号に基づく画像が図略の前記ディスプレイに表示される。そして、もう一度、前記シャッタボタンを押すことで、動画撮影が終了する。撮影された動画像は、動画用のメモリとしての記憶部３６に導かれて格納される。【０１０６】
このようなデジタル機器３や撮像装置２１（前記撮像レンズ装置）では、コンパクトでありながら、背景技術に較べてより良好な光学特性を有する広角光学系１を備えるので、小型化を図りつつ高画素な撮像素子１６を採用することができる。【０１０７】
次に、この広角光学系１を備えたデジタル機器の具体例として、携帯電話機に撮像装置２１を搭載した場合および車載用のモニタカメラに撮像装置２１を搭載した場合について、それぞれ、以下に説明する。【０１０８】
図３は、デジタル機器の一実施形態を示すカメラ付携帯電話機の外観構成図である。図３（Ａ）は、携帯電話機の操作面を示し、図３（Ｂ）は、操作面の裏面、つまり背面を示す。【０１０９】
図３において、携帯電話機５には、上部にアンテナ５１が備えられ、その操作面には、図３（Ａ）に示すように、長方形のディスプレイ５２、画像撮影モードの起動および静止画撮影と動画撮影との切り替えを行う画像撮影ボタン５３、シャッタボタン５５およびダイヤルボタン５６が備えられている。そして、この携帯電話機５には、携帯電話網を用いた電話機能を実現する回路が内蔵されると共に、上述した撮像部３０、画像生成部３１、画像データバッファ３２、画像処理部３３、駆動部３４、制御部３５および記憶部３６が内蔵されており、撮像部３０の撮像装置２１が背面に臨んでいる。【０１１０】
画像撮影ボタン５３が操作されると、その操作内容を表す制御信号が制御部３５へ出力され、制御部３５は、その操作内容に応じた動作を実行する。そして、シャッタボタン５５が操作されると、その操作内容を表す制御信号が制御部３５へ出力され、制御部３５は、その操作内容に応じた動作を実行する。こうして静止画、あるいは動画が撮像される。【０１１１】
また、本実施形態にかかる広角光学系１は、所定位置に取り付けられ、取り付けられた位置周辺の所定領域の被写体を撮像するモニタカメラ、例えば、車両の周辺領域を撮像する車載用のモニタカメラに好適に搭載される。【０１１２】
図４は、デジタル機器の一実施形態を示す車載用のモニタカメラの概要を説明するための図である。図４において、車載用のモニタカメラ７は、例えば車両９の後方を撮像するように、車両９の後部の所定位置に設置されており、撮像した被写体の画像は、例えばダッシュボードに設置されている図略のモニタに表示される。車載用のモニタカメラ７は、通常、車両９の上方への視野が要求されないことから、その光軸ＡＸが斜め下方を向くように斜め下方に傾斜した姿勢で車両９に取り付けられている。そして、上下方向には、モニタカメラ７の取り付け位置を通る水平線を上端とする画角２φを有する。また、本明細書においては、左右方向の画角も上下方向と同じく２φであるが、それに限られることなく、上下方向と左右方向とで画角が異なっていてもよい。【０１１３】
このような構成の車載カメラ７をバックモニタとして用いた場合の処理の流れを以下に概説する。ユーザ（運転者）は、例えば車体９のダッシュボードに設置されている図略のモニタ（表示装置）を見ながら、車体７をバックさせる。この際に、運転者が確認したい領域と車載カメラ７が撮像している領域とがずれている場合、運転者は、ダッシュボードに設けられた図略の操作ボタンを操作する等の所定の操作を行う。【０１１４】
この操作を受けて制御部３５は、駆動部３４を制御し、撮像部３０の向きを調整する。続いて、制御部３５は、撮像装置２１の前記レンズ駆動装置を駆動し、広角光学系１のフォーカシングを行う。これにより、ピントの合った光学像が撮像素子１６の受光面に結像され、Ｒ、Ｇ、Ｂの色成分の画像信号に変換された後、画像生成部３１に出力される。その画像信号は、画像データバッファ３２に一時的に記憶され、画像処理部３３により画像処理が行われる。こうして運転者が確認したい領域の略自然な画像は、ダッシュボードに設置されている前記モニタに表示される。【０１１５】
以上に述べたように、本発明によれば、開口絞りより物体側に前群のレンズ群を配置すると共に、開口絞りより像側に後群のレンズ群を配置することによって、広画角での軸外収差の補正が容易となる。また、前群のレンズ群に負レンズを配置することによって、いわゆるレトロフォーカスタイプ（逆望遠レンズ）となるため、広角、あるいは超広角に必要な短い焦点距離でも、充分なバックフォーカスを確保することができ、また、例えばＣＣＤ等の撮像素子に結像させる場合において、像面への光線入射角をテレセントリックに近づけることが可能となる。また、前群のレンズ群に少なくとも１枚の正レンズを配置することによって、ペッツバール和を抑えることができ、非点収差の補正が容易となる。また、前群のレンズ群に含まれる正レンズのうちの少なくとも１枚の正レンズが少なくとも１面の非球面を有することによって、球面収差、コマ収差、非点収差を大幅に改善することが可能となる。また、１枚の負レンズで所望の負の光学的パワーを得ようとすると曲率半径が小さくなって負レンズの製造が容易ではなくなるが、前群のレンズ群に少なくとも２枚の負レンズを配置することによって、所望の負の光学的パワーをこれら少なくとも２枚の負レンズに配分することが可能となって負レンズの製造が容易となる。この結果、生産性が改善され、低コスト化が可能となる。そして、条件式（１）の上限を上回ると、倍率色収差の補正が不充分となってコントラストの低下による画質の劣化が生じるが、前群のレンズ群が条件式（１）を満足するので、コントラストの低下が改善される。したがって、このような構成の広角光学系は、より良好な光学性能を有し、コンパクト化（小型化）された広角光学系、撮像レンズ装置、モニタカメラおよびデジタル機器を提供することができる。
＜広角光学系のより具体的な実施形態の説明＞
以下、図１に示すような広角光学系１、すなわち図２に示すようなデジタル機器３に搭載される撮像装置２１に備えられる広角光学系１の具体的な構成を、図面を参照しつつ説明する。
【実施例】
【０１１６】
［実施例１］
図５は、実施例１の広角光学系におけるレンズ群の配列を示す断面図である。図２５は、実施例１の広角光学系におけるレンズ群の収差図である。【０１１７】
実施例１の広角光学系１Ａは、図５に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。このように前群のレンズ群Ｇｒ１と後群のレンズ群Ｇｒ２とは、開口絞りを挟んでそれぞれ配置されている。【０１１８】
より詳しくは、実施例１の広角光学系１Ａは、前群および後群の各レンズ群（Ｇｒ１、Ｇｒ２）が物体側から像側へ順に、次のように構成されている。【０１１９】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０１２０】
第２レンズ群（Ｇｒ２）は、両凸の正レンズ（第４レンズＬ４）から構成されて成る。第４レンズＬ４は、両面が非球面であり、例えば、樹脂材料製レンズである。【０１２１】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０１２２】
図５において、各レンズ面に付されている番号ｒｉ（ｉ＝１，２，３，・・・）は、物体側から数えた場合のｉ番目のレンズ面（ただし、レンズの接合面は１つの面として数えるものとする。）であり、ｒｉに「＊」印が付されている面は、非球面であることを示す。なお、開口絞りＳＴ、平行平板ＦＴの両面および撮像素子ＳＲの受光面も１つの面として扱っている。このような取り扱いおよび符号の意義は、後述の実施例２ないし実施例２３についても同様である（図６ないし図２４および図４５ないし図４７）。ただし、全く同一のものであるという意味ではなく、例えば、各実施例１〜２３の各図６〜２４および４５〜４７を通じて、最も物体側に配置されるレンズ面には、同じ符号（ｒ１）が付されているが、これらの曲率等が各実施例１〜２３を通じて同一であるという意味ではない。【０１２３】
このような構成の下で、物体側から入射した光線は、光軸ＡＸに沿って、順に第１レンズ群（Ｇｒ１）、開口絞りＳＴ、第２レンズ群（Ｇｒ２）および平行平板ＦＴを通過し、撮像素子ＳＲの受光面に物体の光学像を形成する。そして、撮像素子ＳＲでは、光学像が電気的な信号に変換される。この電気信号は、必要に応じて所定のデジタル画像処理などが施され、デジタル映像信号として例えばデジタルカメラ等のデジタル機器のメモリに記録されたり、有線あるいは無線の通信によって他のデジタル機器に伝送されたりする。【０１２４】
実施例１の広角光学系１Ａにおける、各レンズのコンストラクションデータを以下に示す。【０１２５】
数値実施例１
単位  ｍｍ
面データ
面番号          ｒ        ｄ        ｎｄ        νｄ
物面            ∞        ∞
１           14.154      1.200      1.83481      42.72
２            3.840      2.530
３＊          2.887      1.000      1.53048      55.72
４＊          0.693      0.895
５＊          1.942      1.729      1.63550      23.89
６＊         -5.435      0.671
７（絞り）      ∞       0.504
８＊          3.154      1.471      1.53048      55.72
９＊         -1.066      0.900
１０            ∞       0.500      1.51680      64.20
１１            ∞       0.100
像面            ∞
非球面データ
第３面
Ｋ＝-3.0000e+001，Ａ４＝-1.3364e-002，Ａ６＝1.3918e-003，Ａ８＝-6.9228e-005，Ａ１０＝1.3057e-006，Ａ１２＝0.0000e+000
第４面
Ｋ＝-1.0000e+000，Ａ４＝-1.2584e-002，Ａ６＝-8.8066e-002，Ａ８＝3.7501e-002，Ａ１０＝-4.8796e-003，Ａ１２＝0.0000e+000
第５面
Ｋ＝0.0000e+000，Ａ４＝4.6932e-002，Ａ６＝-6.3958e-002，Ａ８＝2.4821e-002，Ａ１０＝-3.6310e-003，Ａ１２＝0.0000e+000
第６面
Ｋ＝0.0000e+000，Ａ４＝2.3370e-002，Ａ６＝1.8813e-003，Ａ８＝-2.2382e-003，Ａ１０＝-5.8927e-004，Ａ１２＝5.1484e-004
第８面
Ｋ＝0.0000e+000，Ａ４＝-8.2144e-002，Ａ６＝1.3260e-001，Ａ８＝-1.4095e-001，Ａ１０＝5.9375e-002，Ａ１２＝0.0000e+00
第９面
Ｋ＝-2.0000e+000，Ａ４＝-7.4633e-002，Ａ６＝1.1084e-001，Ａ８＝-5.9296e-002，Ａ１０＝1.2612e-002，Ａ１２＝0.0000e+000
各種データ
焦点距離        0.753
Ｆナンバ        2.801
半画角        101.595
像高            1.700
レンズ全長     11.352
ＢＦ            1.352
上記の面データにおいて、面番号は、図５に示した各レンズ面に付した符号ｒｉ（ｉ＝１，２，３，…）の番号ｉが対応する。番号ｉに＊が付された面は、非球面（非球面形状の屈折光学面または非球面と等価な屈折作用を有する面）であることを示す。【０１２６】
また、“ｒ”は、各面の曲率半径（単位はｍｍ）、“ｄ”は、無限遠合焦状態での光軸上の各レンズ面の間隔（軸上面間隔）、“ｎｄ”は、各レンズのｄ線（波長５８７．５６ｎｍ）に対する屈折率、“νｄ”は、アッベ数をそれぞれ示している。なお、開口絞りＳＴ、平行平面板ＦＴの両面、撮像素子ＳＲの受光面の各面は、平面であるために、それらの曲率半径は、∞（無限大）である。【０１２７】
上記の非球面データは、非球面とされている面（面データにおいて番号ｉに＊が付された面）の２次曲面パラメータ（円錐係数Ｋ）と非球面係数Ａｉ（ｉ＝４，６，８，１０，１２）の値とを示すものである。なお、光学面の非球面形状は、面頂点を原点、物体から撮像素子に向かう向きをｚ軸の正の方向とするローカルな直交座標系（ｘ，ｙ，ｚ）を用い、次式により定義している。
ｚ（ｈ）＝ｃｈ２／［１＋√｛１−(1＋Ｋ)ｃ２ｈ２}]＋ΣＡｉ・ｈｉ
ただし、ｚ（ｈ）：高さｈの位置でのｚ軸方向の変位量（面頂点基準）
ｈ：ｚ軸に対して垂直な方向の高さ（ｈ２＝ｘ２＋ｙ２）
ｃ：近軸曲率（＝１／曲率半径）
Ａｉ：ｉ次の非球面係数
Ｋ：２次曲面パラメータ（円錐係数）
以上のようなレンズ配置、構成のもとでの、実施例１の広角光学系１Ａにおける各収差を図２５にそれぞれ示す。図２５（Ａ）の各図において左から順に、球面収差（正弦条件）（ＬＯＮＧＩＴＵＤＩＮＡＬ  ＳＰＨＥＲＩＣＡＬ  ＡＢＥＲＲＡＴＩＯＮ）、非点収差（ＡＳＴＩＧＭＡＴＩＳＭ  ＦＩＥＬＤ  ＣＵＲＶＥＲ）および歪曲収差（ＤＩＳＴＯＲＴＩＯＮ）をそれぞれ示す。球面収差の横軸は、焦点位置のずれをｍｍ単位で表しており、その縦軸は、入射高で規格化した値で表している。非点収差の横軸は、焦点位置のずれをｍｍ単位で表しており、その縦軸は、像高をｍｍ単位で表している。歪曲収差の横軸は、歪曲として実際の像高を理想像高に対する割合（％）で表しており、縦軸は、その画角を度単位で表している（ただし、ここでは半画角９０度までを表示）。また、非点収差の図中、破線は、サジタル、実線は、タンジェンシャルをそれぞれ表している。そして、図２５（Ｂ）に横収差を示し、左側がタンジェンシャル（メリディオナル）面の場合を示し、右側がサジタル（ラディアル）面の場合を示し、上から順に、最大画角の場合、中間画角の場合および軸上の場合をそれぞれ示す。横軸には主光線に対する入射光線高さを、開口絞り座標で規格化した値で表し、縦軸には像面での主光線からのずれをｍｍ単位で表す。【０１２８】
球面収差および横収差の図には、実線でｄ線（波長５８７．５６ｎｍ）、破線でｇ線（波長４３５．８４ｎｍ）、一点鎖線でＣ線（波長６５６．２８ｎｍ）の３つの光の収差をそれぞれ示してある。非点収差および歪曲収差の図は、上記ｄ線（波長５８７．５６ｎｍ）を用いた場合の結果である。【０１２９】
以上のような扱いは、以下に示す実施例２〜２３にかかるコンストラクションデータ、各収差を示す図２６〜図４４および図４８〜図５０においても同様である。
［実施例２］
図６は、実施例２の広角光学系におけるレンズ群の配列を示す断面図である。図２６は、実施例２の広角光学系におけるレンズ群の収差図である。【０１３０】
実施例２の広角光学系１Ｂは、図６に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０１３１】
より詳しくは、実施例２の広角光学系１Ｂは、前群および後群の各レンズ群（Ｇｒ１、Ｇｒ２）が物体側から像側へ順に、次のように構成されている。【０１３２】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０１３３】
第２レンズ群（Ｇｒ２）は、両凸の正レンズ（第４レンズＬ４）から構成されて成る。第４レンズＬ４は、片面が非球面である。【０１３４】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０１３５】
実施例２の広角光学系１Ｂにおける、各レンズのコンストラクションデータを以下に示す。【０１３６】
数値実施例２
単位  ｍｍ
面データ
面番号          ｒ        ｄ        ｎｄ        νｄ
物面            ∞        ∞
１           14.266      1.198      1.83481      42.72
２            3.882      2.547
３＊          2.690      1.000      1.53048      55.72
４＊          0.694      0.859
５＊          1.967      1.745      1.63550      23.89
６＊         -6.055      0.671
７（絞り）      ∞       0.547
８            3.184      1.433      1.58913      61.24
９＊         -1.177      0.900
１０            ∞       0.500      1.51680      64.20
１１            ∞       0.100
像面            ∞
非球面データ
第３面
Ｋ＝-3.0000e+001，Ａ４＝-1.3478e-002，Ａ６＝1.3586e-003，Ａ８＝-5.5396e-005，Ａ１０＝4.5377e-007，Ａ１２＝0.0000e+000
第４面
Ｋ＝-1.0000e+000，Ａ４＝-1.4175e-002，Ａ６＝-8.8830e-002，Ａ８＝3.8392e-002，Ａ１０＝-5.0309e-003，Ａ１２＝0.0000e+000
第５面
Ｋ＝0.0000e+000，Ａ４＝5.6194e-002，Ａ６＝-6.4821e-002，Ａ８＝2.4513e-002，Ａ１０＝-3.5021e-003，Ａ１２＝0.0000e+000
第６面
Ｋ＝0.0000e+000，Ａ４＝3.2029e-002，Ａ６＝-6.3523e-003，Ａ８＝1.7772e-003，Ａ１０＝-1.4859e-003，Ａ１２＝5.7499e-004
第９面
Ｋ＝-2.0000e+000，Ａ４＝-2.3177e-002，Ａ６＝9.0449e-002，Ａ８＝-4.5930e-002，Ａ１０＝8.6151e-003，Ａ１２＝0.0000e+000
各種データ
焦点距離          0.753
Ｆナンバ          2.796
半画角          102.149
像高              1.701
レンズ全長       11.350
ＢＦ              1.350
以上のようなレンズ配置、構成のもとでの、実施例２の広角光学系１Ｂにおける球面収差（正弦条件）、非点収差、歪曲収差および横収差を、図２６にそれぞれ示す。
［実施例３］
図７は、実施例３の広角光学系におけるレンズ群の配列を示す断面図である。図２７は、実施例３の広角光学系におけるレンズ群の収差図である。【０１３７】
実施例３の広角光学系１Ｃは、図７に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０１３８】
より詳しくは、実施例３の広角光学系１Ｃは、前群および後群の各レンズ群（Ｇｒ１、Ｇｒ２）が物体側から像側へ順に、次のように構成されている。【０１３９】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、第２レンズＬ２は、例えば、樹脂材料製レンズである。【０１４０】
第２レンズ群（Ｇｒ２）は、両凸の正レンズ（第４レンズＬ４）から構成されて成る。第４レンズＬ４は、両面が非球面であり、例えば、樹脂材料製レンズである。【０１４１】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０１４２】
実施例３の広角光学系１Ｃにおける、各レンズのコンストラクションデータを以下に示す。【０１４３】
数値実施例３
単位  ｍｍ
面データ
面番号          ｒ        ｄ        ｎｄ        νｄ
物面            ∞        ∞
１           13.984      1.200      1.83481      42.72
２            3.657      2.473
３＊          2.957      1.000      1.53048      55.72
４＊          0.692      0.863
５＊          2.001      1.650      1.80542      26.13
６＊        -11.213      0.646
７（絞り）      ∞       0.385
８＊          5.618      1.513      1.53048      55.72
９＊         -0.907      0.900
１０            ∞       0.500      1.51680      64.20
１１            ∞       0.100
像面            ∞
非球面データ
第３面
Ｋ＝-3.0000e+001，Ａ４＝-1.7603e-002，Ａ６＝2.2353e-003，Ａ８＝-1.4527e-004，Ａ１０＝4.0508e-006，Ａ１２＝0.0000e+000
第４面
Ｋ＝-1.0000e+000，Ａ４＝-4.7670e-002，Ａ６＝-6.3674e-002，Ａ８＝3.2022e-002，Ａ１０＝-4.5557e-003，Ａ１２＝0.0000e+000
第５面
Ｋ＝0.0000e+000，Ａ４＝3.0319e-002，Ａ６＝-4.6400e-002，Ａ８＝1.9102e-002，Ａ１０＝-2.8174e-003，Ａ１２＝0.0000e+000
第６面
Ｋ＝0.0000e+000，Ａ４＝1.0089e-003，Ａ６＝1.9847e-002，Ａ８＝-8.0153e-003，Ａ１０＝-4.5280e-004，Ａ１２＝8.4110e-004
第８面
Ｋ＝0.0000e+000，Ａ４＝-1.8624e-001，Ａ６＝2.8312e-001，Ａ８＝-3.0529e-001，Ａ１０＝1.2919e-001，Ａ１２＝0.0000e+000
第９面
Ｋ＝-2.0000e+000，Ａ４＝-1.5315e-001，Ａ６＝1.3069e-001，Ａ８＝-9.6264e-002，Ａ１０＝2.8352e-002，Ａ１２＝0.0000e+000
各種データ
焦点距離          0.753
Ｆナンバ          2.796
半画角          100.105
像高              1.699
レンズ全長       11.082
ＢＦ              1.351
以上のようなレンズ配置、構成のもとでの、実施例３の広角光学系１Ｃにおける球面収差（正弦条件）、非点収差、歪曲収差および横収差を、図２７にそれぞれ示す。
［実施例４］
図８は、実施例４の広角光学系におけるレンズ群の配列を示す断面図である。図２８は、実施例４の広角光学系におけるレンズ群の収差図である。【０１４４】
実施例４の広角光学系１Ｄは、図８に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０１４５】
より詳しくは、実施例４の広角光学系１Ｄは、前群および後群の各レンズ群（Ｇｒ１、Ｇｒ２）が物体側から像側へ順に、次のように構成されている。【０１４６】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０１４７】
第２レンズ群（Ｇｒ２）は、両凸の正レンズ（第４レンズＬ４）から構成されて成る。第４レンズＬ４は、両面が非球面であり、例えば、樹脂材料製レンズである。【０１４８】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０１４９】
実施例４の広角光学系１Ｄにおける、各レンズのコンストラクションデータを以下に示す。【０１５０】
数値実施例４
単位  ｍｍ
面データ
面番号          ｒ        ｄ        ｎｄ        νｄ
物面            ∞        ∞
１           13.999      1.100      1.88300      40.81
２            3.837      2.690
３＊         29.399      1.000      1.53048      55.72
４＊          1.016      0.799
５＊          1.962      1.747      1.63200      23.41
６＊         -5.019      0.640
７（絞り）      ∞       0.478
８＊          4.008      1.461      1.53048      55.72
９＊         -1.098      0.565
１０            ∞       0.500      1.51680      47.00
１１            ∞       0.520
像面            ∞
非球面データ
第３面
Ｋ＝-3.0000e+001，Ａ４＝-5.4043e-003，Ａ６＝4.0794e-005，Ａ８＝5.0085e-005，Ａ１０＝-3.0399e-006，Ａ１２＝0.0000e+000
第４面
Ｋ＝-2.0788e+000，Ａ４＝2.4740e-001，Ａ６＝-1.7754e-001，Ａ８＝5.7603e-002，Ａ１０＝-6.9424e-003，Ａ１２＝0.0000e+000
第５面
Ｋ＝0.0000e+000，Ａ４＝5.5106e-002，Ａ６＝-6.3595e-002，Ａ８＝2.4535e-002，Ａ１０＝-3.6937e-003，Ａ１２＝0.0000e+000
第６面
Ｋ＝0.0000e+000，Ａ４＝4.9789e-002，Ａ６＝-3.3464e-002，Ａ８＝2.1739e-002，Ａ１０＝-9.4383e-003，Ａ１２＝1.9006e-003
第８面
Ｋ＝0.0000e+000，Ａ４＝-1.2333e-001，Ａ６＝1.7672e-001，Ａ８＝-2.1232e-001，Ａ１０＝8.5862e-002，Ａ１２＝0.0000e+000
第９面
Ｋ＝-2.0000e+000，Ａ４＝-7.5634e-002，Ａ６＝5.8591e-002，Ａ８＝-2.2662e-002，Ａ１０＝1.3248e-003，Ａ１２＝0.0000e+000
各種データ
焦点距離          0.753
Ｆナンバ          2.887
半画角          103.802
像高              1.750
レンズ全長       11.345
ＢＦ              1.430
以上のようなレンズ配置、構成のもとでの、実施例４の広角光学系１Ｄにおける球面収差（正弦条件）、非点収差、歪曲収差および横収差を、図２８にそれぞれ示す。
［実施例５］
図９は、実施例５の広角光学系におけるレンズ群の配列を示す断面図である。図２９は、実施例５の広角光学系におけるレンズ群の収差図である。【０１５１】
実施例５の広角光学系１Ｅは、図９に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０１５２】
より詳しくは、実施例５の広角光学系１Ｅは、前群および後群の各レンズ群（Ｇｒ１、Ｇｒ２）が物体側から像側へ順に、次のように構成されている。【０１５３】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０１５４】
第２レンズ群（Ｇｒ２）は、両凸の正レンズ（第４レンズＬ４）から構成されて成る。第４レンズＬ４は、両面が非球面であり、例えば、樹脂材料製レンズである。【０１５５】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０１５６】
実施例５の広角光学系１Ｅにおける、各レンズのコンストラクションデータを以下に示す。【０１５７】
数値実施例５
単位  ｍｍ
面データ
面番号          ｒ        ｄ        ｎｄ        νｄ
物面            ∞        ∞
１           14.435      1.400      1.88300      40.81
２            4.201      2.806
３＊         18.046      1.000      1.53048      55.72
４＊          1.035      1.311
５＊          1.901      1.740      1.63200      23.41
６＊         -7.145      0.540
７（絞り）      ∞       0.725
８＊          2.837      1.629      1.53048      55.72
９＊         -1.663      0.502
１０            ∞       0.500      1.56400      47.00
１１            ∞       0.100
像面            ∞
非球面データ
第３面
Ｋ＝-5.0000e+000，Ａ＝-2.8407e-003，Ａ６＝-2.0654e-004，Ａ８＝1.8328e-005，Ａ１０＝1.3083e-006，Ａ１２＝-1.1270e-007
第４面
Ｋ＝-2.0000e+000，Ａ４＝1.6634e-001，Ａ６＝-8.7701e-002，Ａ８＝2.0131e-002，Ａ１０＝-1.3772e-003，Ａ１２＝-9.1985e-005
第５面
Ｋ＝0.0000e+000，Ａ４＝3.0146e-003，Ａ６＝-2.1090e-002，Ａ８＝5.9446e-003，Ａ１０＝-2.8002e-005，Ａ１２＝-3.0303e-004
第６面
Ｋ＝0.0000e+000，Ａ４＝2.0048e-002，Ａ６＝-2.3632e-003，Ａ８＝2.2588e-004，Ａ１０＝-2.2209e-003，Ａ１２＝9.1617e-004
第８面
Ｋ＝0.0000e+000，Ａ４＝-6.6502e-002，Ａ６＝7.7287e-002，Ａ８＝-5.9858e-002，Ａ１０＝2.3673e-002，Ａ１２＝-4.0895e-003
第９面
Ｋ＝-2.0000e+000，Ａ４＝-1.3332e-002，Ａ６＝2.3115e-002，Ａ８＝1.7916e-003，Ａ１０＝-3.5067e-003，Ａ１２＝4.7323e-004
各種データ
焦点距離          0.891
Ｆナンバ          2.795
半画角          104.564
像高              2.068
レンズ全長       12.508
ＢＦ              1.357
以上のようなレンズ配置、構成のもとでの、実施例５の広角光学系１Ｅにおける球面収差（正弦条件）、非点収差、歪曲収差および横収差を、図２９にそれぞれ示す。
［実施例６］
図１０は、実施例６の広角光学系におけるレンズ群の配列を示す断面図である。図３０は、実施例６の広角光学系におけるレンズ群の収差図である。【０１５８】
実施例６の広角光学系１Ｆは、図１０に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０１５９】
より詳しくは、実施例６の広角光学系１Ｆは、前群および後群の各レンズ群（Ｇｒ１、Ｇｒ２）が物体側から像側へ順に、次のように構成されている。【０１６０】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０１６１】
第２レンズ群（Ｇｒ２）は、両凸の正レンズ（第４レンズＬ４）から構成されて成る。第４レンズＬ４は、両面が非球面であり、例えば、樹脂材料製レンズである。【０１６２】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０１６３】
実施例６の広角光学系１Ｆにおける、各レンズのコンストラクションデータを以下に示す。【０１６４】
数値実施例６
単位  ｍｍ
面データ
面番号          ｒ        ｄ        ｎｄ        νｄ
物面            ∞        ∞
１           14.723      1.400      1.88300      40.81
２            4.376      2.824
３＊         11.328      1.000      1.53048      55.72
４＊          1.060      1.144
５＊          1.997      1.870      1.63200      23.41
６＊        -10.601      0.479
７（絞り）      ∞       0.881
８＊          3.921      1.973      1.53048      55.72
９＊         -1.761      1.024
１０            ∞       0.500      1.56400      47.00
１１            ∞       0.500
像面            ∞
非球面データ
第３面
Ｋ＝-2.8612e+001，Ａ４＝-2.0350e-003，Ａ６＝-1.6746e-004，Ａ８＝7.2034e-006，Ａ１０＝1.3033e-006，Ａ１２＝-7.3695e-008
第４面
Ｋ＝-2.0000e+000，Ａ４＝1.1433e-001，Ａ６＝-4.2316e-002，Ａ８＝5.1180e-003，Ａ１０＝4.1021e-004，Ａ１２＝-1.0701e-004
第５面
Ｋ＝0.0000e+000，Ａ４＝-3.0906e-003，Ａ６＝-3.3491e-003，Ａ８＝-2.9631e-003，Ａ１０＝1.8309e-003，Ａ１２＝-3.3866e-004
第６面
Ｋ＝0.0000e+000，Ａ４＝1.6870e-002，Ａ６＝-1.1841e-003，Ａ８＝4.9275e-003，Ａ１０＝-5.8262e-003，Ａ１２＝1.7245e-003
第８面
Ｋ＝0.0000e+000，Ａ４＝-3.2047e-002，Ａ６＝2.2974e-002，Ａ８＝-1.0720e-002，Ａ１０＝2.7148e-003，Ａ１２＝-3.1166e-004
第９面
Ｋ＝-2.0000e+000，Ａ４＝-2.4097e-003，Ａ６＝1.8993e-003，Ａ８＝1.5419e-003，Ａ１０＝-3.7264e-004，Ａ１２＝9.0955e-006
各種データ
焦点距離          1.122
Ｆナンバ          2.791
半画角          104.156
像高              2.757
レンズ全長       13.462
ＢＦ              1.891
以上のようなレンズ配置、構成のもとでの、実施例６の広角光学系１Ｆにおける球面収差（正弦条件）、非点収差、歪曲収差および横収差を、図３０にそれぞれ示す。
［実施例７］
図１１は、実施例７の広角光学系におけるレンズ群の配列を示す断面図である。図３１は、実施例７の広角光学系におけるレンズ群の収差図である。【０１６５】
実施例７の広角光学系１Ｇは、図１１に示すように、物体側から像側へ順に、全体として負の光学的パワーを有する前群のレンズ群（Ｇｒ１）と、光量を調節するための開口絞りＳＴと、全体として正の光学的パワーを有する後群のレンズ群（Ｇｒ２）とから成る負・正の２成分構成である。【０１６６】
より詳しくは、実施例７の広角光学系１Ｇは、前群および後群の各レンズ群（Ｇｒ１、Ｇｒ２）が物体側から像側へ順に、次のように構成されている。【０１６７】
第１レンズ群（Ｇｒ１）は、物体側に凸の負メニスカスレンズ（第１レンズＬ１）と、両凹の負レンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０１６８】
第２レンズ群（Ｇｒ２）は、両凸の正レンズ（第４レンズＬ４）から構成されて成る。第４レンズＬ４は、両面が非球面であり、例えば、樹脂材料製レンズである。【０１６９】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０１７０】
実施例７の広角光学系１Ｇにおける、各レンズのコンストラクションデータを以下に示す。【０１７１】
数値実施例７
単位  ｍｍ
面データ
面番号          ｒ        ｄ        ｎｄ        νｄ
物面            ∞        ∞
１           11.636      1.400      1.88300      40.81
２            3.826      3.513
３＊         -5.985      0.764      1.53048      55.72
４＊          0.772      0.407
５＊          1.168      1.413      1.63200      23.41
６＊         -8.197      0.361
７（絞り）      ∞       0.185
８＊          3.200      1.441      1.53048      55.72
９＊         -0.917      0.800
１０            ∞       0.300      1.56400      47.00
１１            ∞       0.300
像面            ∞
非球面データ
第３面
Ｋ＝-5.0000e+000，Ａ４＝-3.6223e-003，Ａ６＝1.1909e-003，Ａ８＝-6.3586e-005，Ａ１０＝1.9291e-005，Ａ１２＝-3.0988e-006
第４面
Ｋ＝-3.6201e+000，Ａ４＝1.0213e+000，Ａ６＝-1.1904e+000，Ａ８＝5.4191e-001，Ａ１０＝2.9634e-002，Ａ１２＝-7.9731e-002
第５面
Ｋ＝0.0000e+000，Ａ４＝1.3442e-001，Ａ６＝5.5084e-002，Ａ８＝-6.8268e-001，Ａ１０＝8.1707e-001，Ａ１２＝-3.6301e-001
第６面
Ｋ＝0.0000e+000，Ａ４＝2.4454e-001，Ａ６＝-2.9441e-001，Ａ８＝-9.8690e-002，Ａ１０＝6.1323e-003，Ａ１２＝8.8561e-002
第８面
Ｋ＝0.0000e+000，Ａ４＝-2.9917e-001，Ａ６＝2.3425e+000，Ａ８＝-8.9235e+000，Ａ１０＝1.5921e+001，Ａ１２＝-8.2016e+000
第９面
Ｋ＝-2.0000e+000，Ａ４＝-1.8169e-001，Ａ６＝2.8826e-001，Ａ８＝-1.8024e-001，Ａ１０＝9.6407e-002，Ａ１２＝7.3851e-003
各種データ
焦点距離          0.665
Ｆナンバ          2.806
半画角          104.016
像高              1.378
レンズ全長       10.799
ＢＦ              1.315
以上のようなレンズ配置、構成のもとでの、実施例７の広角光学系１Ｇにおける球面収差（正弦条件）、非点収差、歪曲収差および横収差を、図３１にそれぞれ示す。
［実施例８］
図１２は、実施例８の広角光学系におけるレンズ群の配列を示す断面図である。図３２は、実施例８の広角光学系におけるレンズ群の収差図である。【０１７２】
実施例８の広角光学系１Ｈは、図１２に示すように、物体側から像側へ順に、全体として負の光学的パワーを有する前群のレンズ群（Ｇｒ１）と、光量を調節するための開口絞りＳＴと、全体として正の光学的パワーを有する後群のレンズ群（Ｇｒ２）とから成る負・正の２成分構成である。【０１７３】
より詳しくは、実施例８の広角光学系１Ｈは、前群および後群の各レンズ群（Ｇｒ１、Ｇｒ２）が物体側から像側へ順に、次のように構成されている。【０１７４】
第１レンズ群（Ｇｒ１）は、物体側に凸の負メニスカスレンズ（第１レンズＬ１）と、物体側に凸の負メニスカスレンズ（第２レンズＬ２）と、物体側に凸の正メニスカスレンズ（第３レンズＬ３）とから構成されて成る。第２および第３レンズＬ２、Ｌ３は、両面が非球面であり、第２レンズＬ２は、例えば、樹脂材料製レンズである。【０１７５】
第２レンズ群（Ｇｒ２）は、両凸の正レンズ（第４レンズＬ４）から構成されて成る。第４レンズＬ４は、両面が非球面であり、例えば、樹脂材料製レンズである。【０１７６】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０１７７】
実施例８の広角光学系１Ｈにおける、各レンズのコンストラクションデータを以下に示す。【０１７８】
数値実施例８
単位  ｍｍ
面データ
面番号          ｒ        ｄ        ｎｄ        νｄ
物面            ∞        ∞
１           15.120      1.400      1.89800      34.01
２            4.206      2.648
３＊          5.115      1.000      1.53048      55.72
４＊          0.689      1.042
５＊          2.432      1.603      2.00170      20.64
６＊         39.577      0.662
７（絞り）      ∞       0.391
８＊          3.773      1.867      1.53048      55.72
９＊         -0.847      0.500
１０            ∞       0.500      1.51680      64.20
１１            ∞       0.500
像面            ∞
非球面データ
第３面
Ｋ＝-8.9708e+000，Ａ４＝-8.5404e-003，Ａ６＝1.6037e-004，Ａ８＝1.7163e-005，Ａ１０＝1.8196e-006，Ａ１２＝-1.6486e-007
第４面
Ｋ＝-2.0582e+000，Ａ４＝1.4364e-001，Ａ６＝-9.2621e-002，Ａ８＝2.4919e-002，Ａ１０＝-1.8777e-003，Ａ１２＝-1.2094e-004
第５面
Ｋ＝0.0000e+000，Ａ４＝-8.1504e-003，Ａ６＝2.8126e-003，Ａ８＝-3.3407e-003，Ａ１０＝2.0200e-003，Ａ１２＝-3.4010e-004
第６面
Ｋ＝0.0000e+000，Ａ４＝1.4359e-002，Ａ６＝-9.5648e-003，Ａ８＝2.2659e-002，Ａ１０＝-1.4797e-002，Ａ１２＝2.8253e-003
第８面
Ｋ＝0.0000e+000，Ａ４＝-9.4837e-002，Ａ６＝1.8112e-001，Ａ８＝-1.9637e-001，Ａ１
０＝9.9926e-002，Ａ１２＝-1.9270e-002
第９面
Ｋ＝-2.0000e+000，Ａ４＝-6.5541e-003，Ａ６＝-4.3145e-002，Ａ８＝3.7525e-002，Ａ１０＝-1.0082e-002，Ａ１２＝6.7158e-004
各種データ
焦点距離          0.599
Ｆナンバ          2.745
半画角          103.387
像高              2.068
レンズ全長       11.963
ＢＦ              1.349
以上のようなレンズ配置、構成のもとでの、実施例８の広角光学系１Ｈにおける球面収差（正弦条件）、非点収差、歪曲収差および横収差を、図３２にそれぞれ示す。
［実施例９］
図１３は、実施例９の広角光学系におけるレンズ群の配列を示す断面図である。図３３は、実施例９の広角光学系におけるレンズ群の収差図である。【０１７９】
実施例９の広角光学系１Ｉは、図１３に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０１８０】
より詳しくは、実施例９の広角光学系１Ｉは、前群および後群の各レンズ群（Ｇｒ１、Ｇｒ２）が物体側から像側へ順に、次のように構成されている。【０１８１】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０１８２】
第２レンズ群（Ｇｒ２）は、両凸の正レンズ（第４レンズＬ４）から構成されて成る。第４レンズＬ４は、両面が非球面であり、例えば、樹脂材料製レンズである。【０１８３】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０１８４】
実施例９の広角光学系１Ｉにおける、各レンズのコンストラクションデータを以下に示す。【０１８５】
数値実施例９
単位  ｍｍ
面データ
面番号          ｒ        ｄ        ｎｄ        νｄ
物面            ∞        ∞
１           15.758      1.400      1.88300      40.81
２            4.186      2.487
３＊          3.491      1.000      1.53048      55.72
４＊          0.703      1.752
５＊          2.081      1.780      1.75120      24.80
６＊        -19.680      0.618
７（絞り）      ∞       0.602
８＊          3.778      1.575      1.53048      55.72
９＊         -1.296      0.533
１０            ∞       0.500      1.51680      64.20
１１            ∞       0.500
像面            ∞
非球面データ
第３面
Ｋ＝-7.2600e+000，Ａ４＝-5.4462e-003，Ａ６＝-4.4312e-004，Ａ８＝4.5943e-005，Ａ１０＝1.8651e-006，Ａ１２＝-1.8278e-007
第４面
Ｋ＝-2.0000e+000，Ａ４＝1.7009e-001，Ａ６＝-9.2952e-002，Ａ８＝2.1326e-002，Ａ１０＝-1.8453e-003，Ａ１２＝9.8857e-006
第５面
Ｋ＝0.0000e+000，Ａ４＝-1.3670e-002，Ａ６＝5.3090e-003，Ａ８＝-5.6228e-003，Ａ１０＝2.3670e-003 -3.5594e-004
第６面
Ｋ＝0.0000e+000，Ａ４＝9.2507e-003，Ａ６＝1.1698e-002，Ａ８＝-4.3537e-003，Ａ１０＝0.0000e+000，Ａ１２＝0.0000e+000
第８面
Ｋ＝0.0000e+000，Ａ４＝-6.7739e-002，Ａ６＝1.0282e-001，Ａ８＝-1.1549e-001，Ａ１０＝6.5513e-002，Ａ１２＝-1.3741e-002
第９面
Ｋ＝-2.0000e+000，Ａ４＝5.3266e-002，Ａ６＝-8.3637e-002，Ａ８＝7.4917e-002，Ａ１０＝-3.2920e-002，Ａ１２＝5.6561e-003
各種データ
焦点距離          0.740
Ｆナンバ          2.753
半画角          104.394
像高              2.068
レンズ全長       12.607
ＢＦ              1.392
以上のようなレンズ配置、構成のもとでの、実施例９の広角光学系１Ｉにおける球面収差（正弦条件）、非点収差、歪曲収差および横収差を、図３３にそれぞれ示す。
［実施例１０］
図１４は、実施例１０の広角光学系におけるレンズ群の配列を示す断面図である。図３４は、実施例１０の広角光学系におけるレンズ群の収差図である。【０１８６】
実施例１０の広角光学系１Ｊは、図１４に示すように、物体側から像側へ順に、全体として負の光学的パワーを有する前群のレンズ群（Ｇｒ１）と、光量を調節するための開口絞りＳＴと、全体として正の光学的パワーを有する後群のレンズ群（Ｇｒ２）とから成る負・正の２成分構成である。【０１８７】
より詳しくは、実施例１０の広角光学系１Ｊは、前群および後群の各レンズ群（Ｇｒ１、Ｇｒ２）が物体側から像側へ順に、次のように構成されている。【０１８８】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０１８９】
第２レンズ群（Ｇｒ２）は、両凸の正レンズ（第４レンズＬ４）から構成されて成る。第４レンズＬ４は、両面が非球面であり、例えば、樹脂材料製レンズである。【０１９０】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０１９１】
実施例１０の広角光学系１Ｊにおける、各レンズのコンストラクションデータを以下に示す。【０１９２】
数値実施例１０
単位  ｍｍ
面データ
面番号          ｒ        ｄ        ｎｄ        νｄ
物面            ∞        ∞
１           18.040      1.400      1.88300      40.81
２            4.970      3.207
３＊          4.198      1.000      1.53048      55.72
４＊          0.673      1.247
５＊          2.224      1.709      1.76130      18.40
６＊        -27.171      0.733
７（絞り）      ∞       0.460
８＊          3.506      1.684      1.53048      55.72
９＊         -1.142      0.743
１０            ∞       0.500      1.51680      64.20
１１            ∞       0.500
像面            ∞
非球面データ
第３面
Ｋ＝-1.1384e+001，Ａ４＝-2.0656e-003，Ａ６＝-3.9876e-004，Ａ８＝2.9770e-005，Ａ１０＝8.1903e-007，Ａ１２＝-7.3470e-008
第４面
Ｋ＝-2.0000e+000，Ａ４＝1.6836e-001，Ａ６＝-9.3318e-002，Ａ８＝2.1430e-002，Ａ１０＝-1.7746e-003，Ａ１２＝-2.3299e-006
第５面
Ｋ＝0.0000e+000，Ａ４＝-2.7011e-002，Ａ６＝7.8703e-003，Ａ８＝-5.9471e-003，Ａ１０＝2.3364e-003，Ａ１２＝-3.1493e-004
第６面
Ｋ＝0.0000e+000，Ａ４＝-6.7325e-003，Ａ６＝2.0818e-002，Ａ８＝-5.6452e-003，Ａ１０＝0.0000e+000，Ａ１２＝0.0000e+000
第８面
Ｋ＝0.0000e+000，Ａ４＝-7.3548e-002，Ａ６＝1.2354e-001，Ａ８＝-1.3762e-001，Ａ１０＝7.8947e-002，Ａ１２＝-1.6892e-002
第９面
Ｋ＝-2.0000e+000，Ａ４＝1.8419e-002，Ａ６＝-6.8344e-002，Ａ８＝7.3910e-002，Ａ１０＝-3.4047e-002，Ａ１２＝6.0222e-003
各種データ
焦点距離          0.691
Ｆナンバ          2.750
半画角          104.090
像高              2.068
レンズ全長       13.040
ＢＦ              1.601
以上のようなレンズ配置、構成のもとでの、実施例１０の広角光学系１Ｊにおける球面収差（正弦条件）、非点収差、歪曲収差および横収差を、図３４にそれぞれ示す。
［実施例１１］
図１５は、実施例１１の広角光学系におけるレンズ群の配列を示す断面図である。図３５は、実施例１１の広角光学系におけるレンズ群の収差図である。【０１９３】
実施例１１の広角光学系１Ｋは、図１５に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０１９４】
より詳しくは、実施例１１の広角光学系１Ｋは、前群および後群の各レンズ群（Ｇｒ１、Ｇｒ２）が物体側から像側へ順に、次のように構成されている。【０１９５】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０１９６】
第２レンズ群（Ｇｒ２）は、両凸の正レンズ（第４レンズＬ４）から構成されて成る。第４レンズＬ４は、両面が非球面であり、例えば、樹脂材料製レンズである。【０１９７】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０１９８】
実施例１１の広角光学系１Ｋにおける、各レンズのコンストラクションデータを以下に示す。【０１９９】
数値実施例１１
単位  ｍｍ
面データ
面番号          ｒ        ｄ        ｎｄ        νｄ
物面            ∞        ∞
１           17.607      1.400      1.83481      42.72
２            4.970      3.583
３＊         10.000      1.000      1.53048      55.72
４＊          0.925      1.562
５＊          1.836      1.794      1.61420      25.59
６＊         -5.646      0.528
７（絞り）      ∞       0.515
８＊          3.421      1.299      1.53048      55.72
９＊         -1.692      0.500
１０            ∞       0.500      1.51680      64.20
１１            ∞       0.500
像面            ∞
非球面データ
第３面
Ｋ＝-1.5496e+001，Ａ４＝-3.6093e-003，Ａ６＝-2.0553e-004，Ａ８＝2.1383e-005，Ａ１０＝1.6335e-006，Ａ１２＝-1.3189e-007
第４面
Ｋ＝-2.1529e+000，Ａ４＝1.5000e-001，Ａ６＝-8.7614e-002，Ａ８＝2.1241e-002，Ａ１０＝-1.4261e-003，Ａ１２＝-9.2773e-005
第５面
Ｋ＝0.0000e+000，Ａ４＝-1.3976e-002，Ａ６＝-2.1039e-002，Ａ８＝6.3676e-003，Ａ１０＝8.2538e-004，Ａ１２＝-6.5452e-004
第６面
Ｋ＝0.0000e+000，Ａ４＝1.9629e-002，Ａ６＝5.7736e-003，Ａ８＝-8.1620e-003，Ａ１０＝-9.7389e-004，Ａ１２＝1.3283e-003
第８面
Ｋ＝0.0000e+000，Ａ４＝-2.6676e-002，Ａ６＝4.1736e-002，Ａ８＝-7.3223e-002，Ａ１０＝5.6967e-002，Ａ１２＝-1.3970e-002
第９面
Ｋ＝-2.0000e+000，Ａ４＝5.1901e-002，Ａ６＝2.1804e-002，Ａ８＝-9.0973e-003，Ａ１０＝-8.7537e-003，Ａ１２＝4.3291e-003
各種データ
焦点距離          0.811
Ｆナンバ          2.781
半画角          103.960
像高              2.068
レンズ全長       13.043
ＢＦ              1.361
以上のようなレンズ配置、構成のもとでの、実施例１１の広角光学系１Ｋにおける球面収差（正弦条件）、非点収差、歪曲収差および横収差を、図３５にそれぞれ示す。
［実施例１２］
図１６は、実施例１２の広角光学系におけるレンズ群の配列を示す断面図である。図３６は、実施例１２の広角光学系におけるレンズ群の収差図である。【０２００】
実施例１２の広角光学系１Ｌは、図１６に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０２０１】
より詳しくは、実施例１２の広角光学系１Ｌは、前群および後群の各レンズ群（Ｇｒ１、Ｇｒ２）が物体側から像側へ順に、次のように構成されている。【０２０２】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０２０３】
第２レンズ群（Ｇｒ２）は、両凸の正レンズ（第４レンズＬ４）から構成されて成る。第４レンズＬ４は、両面が非球面であり、例えば、樹脂材料製レンズである。【０２０４】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２０５】
実施例１２の広角光学系１Ｌにおける、各レンズのコンストラクションデータを以下に示す。【０２０６】
数値実施例１２
単位  ｍｍ
面データ
面番号          ｒ        ｄ        ｎｄ        νｄ
物面            ∞        ∞
１           16.088      1.400      1.81600      46.55
２            4.205      2.861
３＊        145.176      1.000      1.53048      55.72
４＊          1.009      1.105
５＊          1.835      2.337      1.62090      24.44
６＊         -4.093      0.490
７（絞り）      ∞       0.580
８＊          3.166      1.706      1.53048      55.72
９＊         -2.092      0.500
１０            ∞       0.500      1.51680      64.20
１１            ∞       0.500
像面            ∞
非球面データ
第３面
Ｋ＝-5.0000e+000，Ａ４＝-1.7796e-003，Ａ６＝-7.4829e-005，Ａ８＝1.4634e-005，Ａ１０＝9.4500e-007，Ａ１２＝-9.8801e-008
第４面
Ｋ＝-2.0000e+000，Ａ４＝1.4934e-001，Ａ６＝-8.9554e-002，Ａ８＝2.3089e-002，Ａ１０＝-1.1566e-003，Ａ１２＝-2.6233e-004
第５面
Ｋ＝0.0000e+000，Ａ４＝-1.2787e-002，Ａ６＝-2.5416e-002 ，Ａ８＝4.8999e-003，Ａ１０＝7.7868e-004，Ａ１２＝-5.8450e-004
第６面
Ｋ＝0.0000e+000，Ａ４＝8.1740e-003，Ａ６＝-6.4806e-003，Ａ８＝-4.4905e-003，Ａ１０＝3.3276e-003，Ａ１２＝-4.7852e-004
第８面
Ｋ＝0.0000e+000，Ａ４＝-4.9925e-002，Ａ６＝7.2763e-002，Ａ８＝-8.0620e-002，Ａ１０＝4.7746e-002，Ａ１２＝-1.0609e-002
第９面
Ｋ＝-2.0000e+000，Ａ４＝-2.1696e-003，Ａ６＝2.6139e-002，Ａ８＝-3.1309e-003，Ａ１０＝-4.3895e-003，Ａ１２＝1.5380e-003
各種データ
焦点距離          0.963
Ｆナンバ          2.797
半画角          103.708
像高              2.068
レンズ全長       12.849
ＢＦ              1.370
以上のようなレンズ配置、構成のもとでの、実施例１２の広角光学系１Ｌにおける球面収差（正弦条件）、非点収差、歪曲収差および横収差を、図３６にそれぞれ示す。
［実施例１３］
図１７は、実施例１３の広角光学系におけるレンズ群の配列を示す断面図である。図３７は、実施例１３の広角光学系におけるレンズ群の収差図である。【０２０７】
実施例１３の広角光学系１Ｍは、図１７に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０２０８】
より詳しくは、実施例１３の広角光学系１Ｍは、前群および後群の各レンズ群（Ｇｒ１、Ｇｒ２）が物体側から像側へ順に、次のように構成されている。【０２０９】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０２１０】
第２レンズ群（Ｇｒ２）は、両凸の正レンズ（第４レンズＬ４）から構成されて成る。第４レンズＬ４は、両面が非球面であり、例えば、樹脂材料製レンズである。【０２１１】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２１２】
実施例１３の広角光学系１Ｍにおける、各レンズのコンストラクションデータを以下に示す。【０２１３】
数値実施例１３
単位  ｍｍ
面データ
面番号          ｒ        ｄ        ｎｄ        νｄ
物面            ∞        ∞
１           15.285      1.076      1.80420      46.49
２            4.371      2.835
３＊         10.000      1.000      1.53048      55.72
４＊          0.955      1.257
５＊          2.039      2.757      1.63200      23.41
６＊         -3.690      0.375
７（絞り）      ∞       0.682
８＊          4.609      1.522      1.53048      55.72
９＊         -2.124      0.679
１０            ∞       0.500      1.51680      64.20
１１            ∞       0.500
像面            ∞
非球面データ
第３面
Ｋ＝-1.2923e+001，Ａ４＝-7.2249e-003，Ａ６＝2.8311e-004，Ａ８＝1.8963e-005，Ａ１０＝-5.9761e-007，Ａ１２＝-4.4340e-008
第４面
Ｋ＝-2.0000e+000，Ａ４＝1.8628e-001，Ａ６＝-1.0117e-001，Ａ８＝2.1556e-002，Ａ１０＝-1.1189e-003，Ａ１２＝-1.1522e-004
第５面
Ｋ＝0.0000e+000，Ａ４＝-7.4072e-003，Ａ６＝-1.5642e-002，Ａ８＝7.4547e-004 ，Ａ１０＝0.0000e+000，Ａ１２＝0.0000e+000
第６面
Ｋ＝0.0000e+000，Ａ４＝2.3906e-003，Ａ６＝-6.7022e-003，Ａ８＝4.5067e-003，Ａ１０＝0.0000e+000，Ａ１２＝0.0000e+000
第８面
Ｋ＝0.0000e+000，Ａ４＝-7.9528e-002，Ａ６＝1.1752e-001，Ａ８＝-1.2420e-001，Ａ１０＝7.0527e-002，Ａ１２＝-1.5163e-002
第９面
Ｋ＝-2.0000e+000，Ａ４＝-3.8524e-002，Ａ６＝2.3014e-002，Ａ８＝4.1851e-004，Ａ１０＝-4.8948e-003，Ａ１２＝1.5599e-003
各種データ
焦点距離          1.017
Ｆナンバ          2.802
半画角          103.831
像高              2.068
レンズ全長       13.061
ＢＦ              1.558
以上のようなレンズ配置、構成のもとでの、実施例１３の広角光学系１Ｍにおける球面収差（正弦条件）、非点収差、歪曲収差および横収差を、図３７にそれぞれ示す。
［実施例１４］
図１８は、実施例１４の広角光学系におけるレンズ群の配列を示す断面図である。図３８は、実施例１４の広角光学系におけるレンズ群の収差図である。【０２１４】
実施例１４の広角光学系１Ｎは、図１８に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０２１５】
より詳しくは、実施例１４の広角光学系１Ｎは、前群および後群の各レンズ群（Ｇｒ１、Ｇｒ２）が物体側から像側へ順に、次のように構成されている。【０２１６】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０２１７】
第２レンズ群（Ｇｒ２）は、両凸の正レンズ（第４レンズＬ４）から構成されて成る。第４レンズＬ４は、両面が非球面であり、例えば、樹脂材料製レンズである。【０２１８】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２１９】
実施例１４の広角光学系１Ｎにおける、各レンズのコンストラクションデータを以下に示す。【０２２０】
数値実施例１４
単位  ｍｍ
面データ
面番号          ｒ        ｄ        ｎｄ        νｄ
物面            ∞        ∞
１           14.617      1.400      1.83400      37.35
２            4.061      3.011
３＊         14.980      1.000      1.53048      55.72
４＊          0.982      1.281
５＊          1.868      1.786      1.63450      23.90
６＊         -6.594      0.529
７（絞り）      ∞       0.732
８＊          3.117      1.607      1.53048      55.72
９＊         -1.562      0.500
１０            ∞       0.500      1.51680      64.20
１１            ∞       0.500
像面            ∞
非球面データ
第３面
Ｋ＝-3.0000e+001，Ａ４＝-3.2061e-003，Ａ６＝-2.1451e-004，Ａ８＝1.8572e-005，Ａ１０＝1.4226e-006，Ａ１２＝-1.1201e-007
第４面
Ｋ＝-2.0000e+000，Ａ４＝1.6697e-001，Ａ６＝-8.8464e-002，Ａ８＝2.0375e-002，Ａ１０＝-1.4067e-003，Ａ１２＝-9.5828e-005
第５面
Ｋ＝0.0000e+000，Ａ４＝4.2952e-003，Ａ６＝-2.0660e-002，Ａ８＝5.8774e-003，Ａ１０＝2.4104e-004，Ａ１２＝-4.0028e-004
第６面
Ｋ＝0.0000e+000，Ａ４＝2.5865e-002，Ａ６＝-5.4384e-004，Ａ８＝-1.4984e-003，Ａ１０＝-2.8890e-003 ，Ａ１２＝1.4917e-003
第８面
Ｋ＝0.0000e+000，Ａ４＝-6.2949e-002，Ａ６＝7.4237e-002，Ａ８＝-6.1957e-002，Ａ１０＝2.5910e-002，Ａ１２＝-4.6203e-003
第９面
Ｋ＝-2.0000e+000，Ａ４＝-7.9903e-003，Ａ６＝1.9876e-002，Ａ８＝1.1896e-003，Ａ１０＝-3.5518e-003，Ａ１２＝5.8601e-004
各種データ
焦点距離          0.860
Ｆナンバ          2.785
半画角          104.045
像高              2.068
レンズ全長       12.709
ＢＦ              1.363
以上のようなレンズ配置、構成のもとでの、実施例１４の広角光学系１Ｎにおける球面収差（正弦条件）、非点収差、歪曲収差および横収差を、図３８にそれぞれ示す。
［実施例１５］
図１９は、実施例１５の広角光学系におけるレンズ群の配列を示す断面図である。図３９は、実施例１５の広角光学系におけるレンズ群の収差図である。【０２２１】
実施例１５の広角光学系１Ｏは、図１９に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０２２２】
より詳しくは、実施例１５の広角光学系１Ｏは、前群および後群の各レンズ群（Ｇｒ１、Ｇｒ２）が物体側から像側へ順に、次のように構成されている。【０２２３】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０２２４】
第２レンズ群（Ｇｒ２）は、両凸の正レンズ（第４レンズＬ４）から構成されて成る。第４レンズＬ４は、両面が非球面であり、例えば、樹脂材料製レンズである。【０２２５】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２２６】
実施例１５の広角光学系１Ｏにおける、各レンズのコンストラクションデータを以下に示す。【０２２７】
数値実施例１５
単位  ｍｍ
面データ
面番号          ｒ        ｄ        ｎｄ        νｄ
物面            ∞        ∞
１           15.303      1.400      1.80420      46.49
２            4.089      2.796
３＊         28.709      1.000      1.53048      55.72
４＊          1.031      1.354
５＊          1.845      1.740      1.60700      27.10
６＊         -5.314      0.522
７（絞り）      ∞       0.792
８＊          3.186      1.545      1.53048      55.72
９＊         -1.760      0.500
１０            ∞       0.500      1.51680      64.20
１１            ∞       0.500
像面            ∞
非球面データ
第３面
Ｋ＝-3.0000e+001，Ａ４＝-2.1351e-003，Ａ６＝-1.7353e-004，Ａ８＝1.1791e-005，Ａ１０＝8.6785e-007，Ａ１２＝-6.5507e-008
第４面
Ｋ＝-2.0727e+000，Ａ４＝1.6966e-001，Ａ６＝-8.9161e-002，Ａ８＝2.0913e-002，Ａ１０＝-1.4759e-003，Ａ１２＝-1.0723e-004
第５面
Ｋ＝0.0000e+000，Ａ４＝2.0822e-004，Ａ６＝-2.4385e-002，Ａ８＝6.2483e-003，Ａ１０＝9.1390e-004，Ａ１２＝-6.6165e-004
第６面
Ｋ＝0.0000e+000，Ａ４＝1.6334e-002，Ａ６＝5.5332e-003，Ａ８＝-7.8608e-003，Ａ１０＝1.1285e-003，Ａ１２＝2.4314e-004
第８面
Ｋ＝0.0000e+000，Ａ４＝-7.7296e-002，Ａ６＝8.5276e-002，Ａ８＝-6.4871e-002，Ａ１０＝2.4873e-002，Ａ１２＝-4.1132e-003
第９面
Ｋ＝-2.0000e+000，Ａ４＝-2.8534e-002，Ａ６＝2.7877e-002，Ａ８＝9.9006e-004，Ａ１０＝-4.0566e-003，Ａ１２＝6.9885e-004
各種データ
焦点距離          0.905
Ｆナンバ          2.789
半画角          104.349
像高              2.068
レンズ全長       12.512
ＢＦ              1.363
以上のようなレンズ配置、構成のもとでの、実施例１５の広角光学系１Ｏにおける球面収差（正弦条件）、非点収差、歪曲収差および横収差を、図３９にそれぞれ示す。
［実施例１６］
図２０は、実施例１６の広角光学系におけるレンズ群の配列を示す断面図である。図４０は、実施例１６の広角光学系におけるレンズ群の収差図である。【０２２８】
実施例１６の広角光学系１Ｐは、図２０に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０２２９】
より詳しくは、実施例１６の広角光学系１Ｐは、前群および後群の各レンズ群（Ｇｒ１、Ｇｒ２）が物体側から像側へ順に、次のように構成されている。【０２３０】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０２３１】
第２レンズ群（Ｇｒ２）は、両凸の正レンズ（第４レンズＬ４）から構成されて成る。第４レンズＬ４は、両面が非球面であり、例えば、樹脂材料製レンズである。【０２３２】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２３３】
実施例１６の広角光学系１Ｐにおける、各レンズのコンストラクションデータを以下に示す。【０２３４】
数値実施例１６
単位  ｍｍ
面データ
面番号          ｒ        ｄ        ｎｄ        νｄ
物面            ∞        ∞
１           14.951      1.400      1.80420      46.49
２            4.018      3.116
３＊         15.445      1.000      1.53048      55.72
４＊          0.996      1.356
５＊          1.856      1.801      1.60280      28.30
６＊         -4.704      0.537
７（絞り）      ∞       0.758
８＊          3.403      1.510      1.53048      55.72
９＊         -1.756      0.500
１０            ∞       0.500      1.51680      64.20
１１            ∞       0.500
像面            ∞
非球面データ
第３面
Ｋ＝-2.9172e+001，Ａ４＝-2.8984e-003，Ａ６＝-1.9962e-004，Ａ８＝1.2592e-005，Ａ１０＝9.2223e-007，Ａ１２＝-5.2269e-008
第４面
Ｋ＝-2.0000e+000，Ａ４＝1.6709e-001，Ａ６＝-8.9139e-002，Ａ８＝2.0888e-002，Ａ１０＝-1.5288e-003，Ａ１２＝-8.6482e-005
第５面
Ｋ＝0.0000e+000，Ａ４＝8.1748e-004，Ａ６＝-2.3735e-002，Ａ８＝5.8736e-003，Ａ１０＝9.5558e-004，Ａ１２＝-6.1595e-004
第６面
Ｋ＝0.0000e+000，Ａ４＝1.9053e-002，Ａ６＝6.2215e-003，Ａ８＝-8.4784e-003，Ａ１０＝1.5257e-003，Ａ１２＝1.8851e-004
第８面
Ｋ＝0.0000e+000，Ａ４＝-6.9402e-002，Ａ６＝7.8209e-002，Ａ８＝-6.7923e-002，Ａ１０＝2.7912e-002，Ａ１２＝-4.4255e-003
第９面
Ｋ＝-2.0000e+000，Ａ４＝-1.9873e-002，Ａ６＝2.9005e-002，Ａ８＝-1.7074e-003，Ａ１０＝-4.7814e-003，Ａ１２＝1.1174e-003
各種データ
焦点距離          0.880
Ｆナンバ          2.784
半画角          104.051
像高              2.068
レンズ全長       12.839
ＢＦ              1.362
以上のようなレンズ配置、構成のもとでの、実施例１６の広角光学系１Ｐにおける球面収差（正弦条件）、非点収差、歪曲収差および横収差を、図４０にそれぞれ示す。
［実施例１７］
図２１は、実施例１７の広角光学系におけるレンズ群の配列を示す断面図である。図４１は、実施例１７の広角光学系におけるレンズ群の収差図である。【０２３５】
実施例１７の広角光学系１Ｑは、図２１に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０２３６】
より詳しくは、実施例１７の広角光学系１Ｑは、前群および後群の各レンズ群（Ｇｒ１、Ｇｒ２）が物体側から像側へ順に、次のように構成されている。【０２３７】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０２３８】
第２レンズ群（Ｇｒ２）は、両凸の正レンズ（第４レンズＬ４）から構成されて成る。第４レンズＬ４は、両面が非球面であり、例えば、樹脂材料製レンズである。【０２３９】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２４０】
実施例１７の広角光学系１Ｑにおける、各レンズのコンストラクションデータを以下に示す。【０２４１】
数値実施例１７
単位  ｍｍ
面データ
面番号          ｒ        ｄ        ｎｄ        νｄ
物面            ∞        ∞
１           16.431      1.233      1.80420      46.49
２            4.389      3.274
３＊          6.543      1.000      1.53048      55.72
４＊          1.133      1.864
５＊          2.165      1.622      1.63200      23.41
６＊         -6.485      0.764
７（絞り）      ∞       0.549
８＊          2.537      1.135      1.53048      55.72
９＊         -5.774      0.741
１０            ∞       0.500      1.51680      64.20
１１            ∞       0.500
像面            ∞
非球面データ
第３面
Ｋ＝-2.5804e+001，Ａ４＝-6.4905e-003，Ａ６＝3.6426e-004，Ａ８＝1.3427e-005，Ａ１０＝-1.2708e-006，Ａ１２＝7.3342e-009
第４面
Ｋ＝-3.3384e+000，Ａ４＝1.5983e-001，Ａ６＝-7.9551e-002，Ａ８＝1.9165e-002，Ａ１０＝-1.7730e-003，Ａ１２＝1.8885e-005
第５面
Ｋ＝0.0000e+000，Ａ４＝-1.8953e-002，Ａ６＝-7.5001e-003，Ａ８＝0.0000e+000，Ａ１０＝0.0000e+000，Ａ１２＝0.0000e+000
第６面
Ｋ＝0.0000e+000，Ａ４＝-8.1454e-003，Ａ６＝-9.3080e-004，Ａ８＝3.6177e-004，Ａ１０＝0.0000e+000，Ａ１２＝0.0000e+000
第８面
Ｋ＝0.0000e+000，Ａ４＝-6.0740e-002，Ａ６＝1.0765e-001，Ａ８＝-1.3288e-001，Ａ１０＝8.0788e-002，Ａ１２＝-1.8140e-002
第９面
Ｋ＝-2.0000e+000，Ａ４＝-9.7980e-003，Ａ６＝4.3295e-002，Ａ８＝-1.4020e-002，Ａ１０＝-5.1790e-003，Ａ１２＝2.9976e-003
各種データ
焦点距離          1.083
Ｆナンバ          2.816
半画角          105.096
像高              2.068
レンズ全長       13.065
ＢＦ              1.624
以上のようなレンズ配置、構成のもとでの、実施例１７の広角光学系１Ｑにおける球面収差（正弦条件）、非点収差、歪曲収差および横収差を、図４１にそれぞれ示す。
［実施例１８］
図２２は、実施例１８の広角光学系におけるレンズ群の配列を示す断面図である。図４２は、実施例１８の広角光学系におけるレンズ群の収差図である。【０２４２】
実施例１８の広角光学系１Ｒは、図２２に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０２４３】
より詳しくは、実施例１８の広角光学系１Ｒは、前群および後群の各レンズ群（Ｇｒ１、Ｇｒ２）が物体側から像側へ順に、次のように構成されている。【０２４４】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、第２レンズＬ２は、例えば、樹脂材料製レンズである。【０２４５】
第２レンズ群（Ｇｒ２）は、両凸の正レンズ（第４レンズＬ４）から構成されて成る。第４レンズＬ４は、両面が非球面であり、例えば、樹脂材料製レンズである。【０２４６】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２４７】
実施例１８の広角光学系１Ｒにおける、各レンズのコンストラクションデータを以下に示す。【０２４８】
数値実施例１８
単位  ｍｍ
面データ
面番号          ｒ        ｄ        ｎｄ        νｄ
物面            ∞        ∞
１           15.904      1.400      1.88300      40.81
２            4.450      2.690
３＊        -93.715      1.000      1.53048      55.72
４＊          1.037      1.060
５＊          2.407      1.433      2.00170      20.64
６＊        150.420      0.643
７（絞り）      ∞       0.539
８＊          2.865      1.747      1.53048      55.72
９＊         -1.239      0.500
１０            ∞       0.500      1.51680      64.20
１１            ∞       0.500
像面            ∞
非球面データ
第３面
Ｋ＝-5.0000e+000，Ａ４＝7.2028e-005，Ａ６＝-4.7541e-005，Ａ８＝-4.9807e-006，Ａ１０＝1.0917e-006，Ａ１２＝-4.1925e-008
第４面
Ｋ＝-2.6295e+000，Ａ４＝1.6884e-001，Ａ６＝-9.2907e-002，Ａ８＝2.4144e-002，Ａ１０＝-1.4670e-003，Ａ１２＝-2.3485e-004
第５面
Ｋ＝0.0000e+000，Ａ４＝-6.6165e-003，Ａ６＝-8.9634e-003，Ａ８＝1.1261e-003，Ａ１０＝1.8961e-003，Ａ１２＝-5.1884e-004
第６面
Ｋ＝0.0000e+000，Ａ４＝-6.0750e-003，Ａ６＝-4.9882e-004，Ａ８＝1.9403e-002，Ａ１０＝-1.4315e-002，Ａ１２＝2.7769e-003
第８面
Ｋ＝0.0000e+000，Ａ４＝-9.7847e-002，Ａ６＝1.3276e-001，Ａ８＝-1.0979e-001，Ａ１０＝4.5566e-002，Ａ１２＝-7.8168e-003
第９面
Ｋ＝-2.0000e+000，Ａ４＝-9.8150e-003，Ａ６＝-9.7246e-003，Ａ８＝2.4119e-002，Ａ１０＝-9.2684e-003，Ａ１２＝1.0023e-003
各種データ
焦点距離          0.855
Ｆナンバ          2.785
半画角          103.981
像高              2.068
レンズ全長       11.873
ＢＦ              1.362
以上のようなレンズ配置、構成のもとでの、実施例１８の広角光学系１Ｒにおける球面収差（正弦条件）、非点収差、歪曲収差および横収差を、図４２にそれぞれ示す。
［実施例１９］
図２３は、実施例１９の広角光学系におけるレンズ群の配列を示す断面図である。図４３は、実施例１９の広角光学系におけるレンズ群の収差図である。【０２４９】
実施例１９の広角光学系１Ｓは、図２３に示すように、物体側から像側へ順に、全体として負の光学的パワーを有する前群のレンズ群（Ｇｒ１）と、光量を調節するための開口絞りＳＴと、全体として正の光学的パワーを有する後群のレンズ群（Ｇｒ２）とから成る負・正の２成分構成である。【０２５０】
より詳しくは、実施例１９の広角光学系１Ｓは、前群および後群の各レンズ群（Ｇｒ１、Ｇｒ２）が物体側から像側へ順に、次のように構成されている。【０２５１】
第１レンズ群（Ｇｒ１）は、物体側に凸の負メニスカスレンズ（第１レンズＬ１）と、物体側に凸の負メニスカスレンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０２５２】
第２レンズ群（Ｇｒ２）は、両凸の正レンズ（第４レンズＬ４）と、像側に凸の負メニスカスレンズ（第５レンズＬ５）と、両凸の正レンズ（第６レンズ）とから構成されて成る。第４ないし第６レンズＬ４、Ｌ５、Ｌ６は、両面が非球面であり、例えば、樹脂材料製レンズである。【０２５３】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２５４】
実施例１９の広角光学系１Ｓにおける、各レンズのコンストラクションデータを以下に示す。【０２５５】
数値実施例１９
単位  ｍｍ
面データ
面番号          ｒ        ｄ        ｎｄ        νｄ
物面            ∞        ∞
１           10.286      0.900      1.83481      42.72
２            2.300      1.638
３＊         38.903      0.800      1.53048      55.72
４＊          0.812      0.416
５＊          1.623      1.392      1.63200      23.41
６＊         -4.562      0.561
７（絞り）      ∞       0.132
８＊          6.361      0.921      1.53048      55.72
９＊         -1.232      0.171
１０＊       -1.225      0.800      1.63200      23.41
１１＊       -3.876      0.100
１２＊        3.352      0.800      1.53048      55.72
１３＊       -3.490      1.400
１４            ∞       0.500      1.51680      64.20
１５            ∞       0.100
像面            ∞
非球面データ
第３面
Ｋ＝2.9236e+002，Ａ４＝-3.1371e-002，Ａ６＝2.2308e-003，Ａ８＝5.2741e-004，Ａ１０＝-1.5873e-005，Ａ１２＝-1.1768e-005
第４面
Ｋ＝-1.0000e+000，Ａ４＝1.7580e-002，Ａ６＝-1.7156e-002，Ａ８＝-3.7365e-003，Ａ１０＝-5.6654e-003，Ａ１２＝2.7674e-003
第５面
Ｋ＝0.0000e+000，Ａ４＝3.8489e-002，Ａ６＝7.7933e-003，Ａ８＝-7.6891e-003，Ａ１０＝-2.8251e-003，Ａ１２＝0.0000e+000
第６面
Ｋ＝0.0000e+000，Ａ４＝4.9059e-002，Ａ６＝2.0210e-002，Ａ８＝-8.2269e-004，Ａ１０＝-1.0916e-002，Ａ１２＝0.0000e+000
第８面
Ｋ＝0.0000e+000 ，Ａ４＝2.0052e-002，Ａ６＝-1.8626e-001，Ａ８＝-4.0585e-001，Ａ１０＝4.0853e-001，Ａ１２＝0.0000e+000
第９面
Ｋ＝0.0000e+000，Ａ４＝8.8455e-002，Ａ６＝-2.7312e-001，Ａ８＝-2.4511e-001，Ａ１０＝2.9471e-001，Ａ１２＝0.0000e+000
第１０面
Ｋ＝0.0000e+000，Ａ４＝6.2956e-002，Ａ６＝-1.5499e-001，Ａ８＝-2.8720e-001，Ａ１０＝4.2477e-001，Ａ１２＝0.0000e+000
第１１面
Ｋ＝0.0000e+000，Ａ４＝-1.0227e-001，Ａ６＝3.3583e-002，Ａ８＝2.6008e-002，Ａ１０＝-1.4902e-002，Ａ１２＝0.0000e+000
第１２面
Ｋ＝0.0000e+000，Ａ４＝1.1593e-002，Ａ６＝4.0494e-003，Ａ８＝-1.0841e-003，Ａ１０＝5.4889e-004，Ａ１２＝-1.1743e-003第１３面
Ｋ＝-5.4212e-001，Ａ４＝1.7965e-001，Ａ６＝-3.1584e-002，Ａ８＝8.0520e-004，Ａ１０＝-9.2598e-005，Ａ１２＝-1.0121e-004
各種データ
焦点距離          1.010
Ｆナンバ          2.828
半画角          104.183
像高              2.110
レンズ全長       10.503
ＢＦ              1.872
以上のようなレンズ配置、構成のもとでの、実施例１９の広角光学系１Ｓにおける球面収差（正弦条件）、非点収差、歪曲収差および横収差を、図４３にそれぞれ示す。
［実施例２０］
図２４は、実施例２０の広角光学系におけるレンズ群の配列を示す断面図である。図４４は、実施例２０の広角光学系におけるレンズ群の収差図である。【０２５６】
実施例２０の広角光学系１Ｔは、図２４に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０２５７】
より詳しくは、実施例２０の広角光学系１Ｔは、前群および後群の各レンズ群（Ｇｒ１、Ｇｒ２）が物体側から像側へ順に、次のように構成されている。【０２５８】
第１レンズ群（Ｇｒ１）は、物体側に凸の負メニスカスレンズ（第１レンズＬ１）と、両凹の負レンズ（第２レンズＬ２）と、両凸の正レンズ（第３レンズＬ３）と、像側に凸の正メニスカスレンズ（第４レンズＬ４）とから構成されて成る。第２ないし第４レンズＬ２、Ｌ３、Ｌ４は、両面が非球面であり、例えば、樹脂材料製レンズである。【０２５９】
第２レンズ群（Ｇｒ２）は、両凸の正レンズ（第５レンズＬ５）と、像側に凸の負メニスカスレンズ（第６レンズＬ６）とから構成されて成る。第５および第６レンズＬ５、Ｌ６は、両面が非球面であり、例えば、樹脂材料製レンズである。【０２６０】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２６１】
実施例２０の広角光学系１Ｔにおける、各レンズのコンストラクションデータを以下に示す。【０２６２】
数値実施例２０
単位  ｍｍ
面データ
面番号          ｒ        ｄ        ｎｄ        νｄ
物面            ∞        ∞
１           11.656      0.900      1.83481      42.72
２            2.952      2.056
３＊        -10.397      0.800      1.53048      55.72
４＊          1.182      0.435
５＊          1.808      1.498      1.63200      23.41
６＊         -4.493      0.222
７＊         -3.735      0.800      1.53048      55.72
８＊         -3.285      0.000
９（絞り）      ∞       0.195
１０＊      135.095      1.195      1.53048      55.72
１１＊       -0.806      0.100
１２＊       -1.050      0.800      1.63200      23.41
１３＊       -1.688      1.400
１４            ∞       0.500      1.51680      64.20
１５            ∞       0.100
像面            ∞
非球面データ
第３面
Ｋ＝5.4000e+000，Ａ４＝2.1197e-002，Ａ６＝-8.1048e-003，Ａ８＝1.1911e-003，Ａ１０＝-6.1743e-005
第４面
Ｋ＝-1.0075e+000，Ａ４＝1.0270e-001，Ａ６＝-6.6789e-002，Ａ８＝7.4458e-003，Ａ１０＝1.4415e-003
第５面
Ｋ＝0.0000e+000，Ａ４＝1.7489e-002，Ａ６＝-1.0330e-002，Ａ８＝4.0519e-003，Ａ１０＝0.0000e+000
第６面
Ｋ＝0.0000e+000，Ａ４＝6.7744e-002，Ａ６＝1.9910e-002，Ａ８＝1.3107e-002，Ａ１０＝0.0000e+000
第７面
Ｋ＝0.0000e+000，Ａ４＝1.1942e-001，Ａ６＝-2.2076e-003，Ａ８＝2.0294e-002，Ａ１０＝1.8559e-002
第８面
Ｋ＝0.0000e+000，Ａ４＝2.6510e-001，Ａ６＝-1.3237e-001，Ａ８＝1.4367e+000，Ａ１０＝-2.4886e+000
第１０面
Ｋ＝0.0000e+000，Ａ４＝1.7803e-001，Ａ６＝-1.2722e-001，Ａ８＝2.6231e-001，Ａ１０＝-3.1844e-001
第１１面
Ｋ＝-2.0000e+000，Ａ４＝-2.5170e-001，Ａ６＝2.5052e-001，Ａ８＝-1.2915e-002，Ａ１０＝-1.4578e-001
第１２面
Ｋ＝0.0000e+000，Ａ４＝-1.6735e-001，Ａ６＝6.1925e-001，Ａ８＝-2.9850e-001，Ａ１０＝4.2240e-002
第１３面
Ｋ＝0.0000e+000，Ａ４＝-8.5301e-002，Ａ６＝1.0428e-001，Ａ８＝-2.3519e-003，Ａ１０＝-5.1011e-003
各種データ
焦点距離          0.960
Ｆナンバ          2.764
半画角          101.625
像高              2.110
レンズ全長       10.835
ＢＦ              1.835
以上のようなレンズ配置、構成のもとでの、実施例２０の広角光学系１Ｔにおける球面収差（正弦条件）、非点収差、歪曲収差および横収差を、図４４にそれぞれ示す。
［実施例２１］
図４５は、実施例２１の広角光学系におけるレンズ群の配列を示す断面図である。図４８は、実施例２１の広角光学系におけるレンズ群の収差図である。【０２６３】
実施例２１の広角光学系１Ｕは、図４５に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０２６４】
より詳しくは、実施例２１の広角光学系１Ｕは、前群および後群の各レンズ群（Ｇｒ１、Ｇｒ２）が物体側から像側へ順に、次のように構成されている。【０２６５】
第１レンズ群（Ｇｒ１）は、物体側に凸の負メニスカスレンズ（第１レンズＬ１）と、物体側に凸の負メニスカスレンズ（第２レンズＬ２）と、物体側に凸の負メニスカスレンズ（第３レンズＬ３）と、像側に凸の正メニスカスレンズ（第４レンズＬ４）とから構成されて成る。第２ないし第４レンズＬ２、Ｌ３、Ｌ４は、両面が非球面であり、例えば、第２および第３レンズＬ２、Ｌ３は、樹脂材料製レンズである。【０２６６】
第２レンズ群（Ｇｒ２）は、両凸の正レンズ（第５レンズＬ５）から構成されて成る。第５レンズＬ５は、両面が非球面であり、例えば、樹脂材料製レンズである。【０２６７】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２６８】
実施例２１の広角光学系１Ｕにおける、各レンズのコンストラクションデータを以下に示す。【０２６９】
数値実施例２１
単位  ｍｍ
面データ
面番号          ｒ        ｄ        ｎｄ        νｄ
物面            ∞        ∞
１           16.114      1.541      1.89800      34.01
２            3.963      2.337
３＊          4.926      0.800      1.53048      55.72
４＊          3.158      0.173
５＊          2.678      0.900      1.53048      55.72
６＊          0.662      1.019
７＊          2.294      1.565      2.00170      20.64
８＊         21.978      0.728
９（絞り）      ∞       0.441
１０＊        4.012      1.996      1.53048      55.72
１１＊       -0.832      0.500
１２            ∞       0.500      1.51680      64.20
１３            ∞       0.500
像面            ∞
非球面データ
第３面
Ｋ＝-6.4360e+000，Ａ４＝-9.5730e-003，Ａ６＝1.6361e-004，Ａ８＝1.7225e-005，Ａ１０＝1.6924e-006，Ａ１２＝1.4303e-007
第４面
Ｋ＝0.0000e+000，Ａ４＝-2.1902e-003，Ａ６＝6.0297e-005，Ａ８＝1.6131e-005，Ａ１０＝2.1546e-006
第５面
Ｋ＝0.0000e+000，Ａ４＝2.1181e-003，Ａ６＝-1.0224e-004，Ａ８＝-2.5155e-005，Ａ１０＝-3.9136e-006
第６面
Ｋ＝-2.1265e+000，Ａ４＝1.4057e-001，Ａ６＝-9.1253e-002，Ａ８＝2.4765e-002，Ａ１０＝-1.9462e-003，Ａ１２＝-1.1036e-004
第７面
Ｋ＝0.0000e+000，Ａ４＝-1.2067e-002，Ａ６＝3.1910e-003，Ａ８＝-3.8091e-003，Ａ１０＝2.0015e-003，Ａ１２＝-3.2495e-004
第８面
Ｋ＝0.0000e+000，Ａ４＝1.8176e-002，Ａ６＝-1.1139e-002，Ａ８＝2.3137e-002，Ａ１０＝-1.4515e-002，Ａ１２＝2.8361e-003
第１０面
Ｋ＝0.0000e+000，Ａ４＝-9.0214e-002，Ａ６＝2.0175e-001，Ａ８＝-2.1783e-001，Ａ１０＝1.0648e-001，Ａ１２＝-1.7154e-002
第１１面
Ｋ＝-2.0000e+000，Ａ４＝-3.5627e-003，Ａ６＝-4.5454e-002，Ａ８＝4.0068e-002，Ａ１０＝-1.0784e-002，Ａ１２＝1.1365e-003
各種データ
焦点距離          0.599
Ｆナンバ          2.737
半画角          101.958
像高              2.068
レンズ全長       12.849
ＢＦ              1.349
以上のようなレンズ配置、構成のもとでの、実施例２１の広角光学系１Ｕにおける球面収差（正弦条件）、非点収差、歪曲収差および横収差を、図４８にそれぞれ示す。
［実施例２２］
図４６は、実施例２２の広角光学系におけるレンズ群の配列を示す断面図である。図４９は、実施例２２の広角光学系におけるレンズ群の収差図である。【０２７０】
実施例２２の広角光学系１Ｖは、図４６に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０２７１】
より詳しくは、実施例２２の広角光学系１Ｖは、前群および後群の各レンズ群（Ｇｒ１、Ｇｒ２）が物体側から像側へ順に、次のように構成されている。【０２７２】
第１レンズ群（Ｇｒ１）は、物体側に凸の負メニスカスレンズ（第１レンズＬ１）と、両凹の負レンズ（第２レンズＬ２）と、両凸の正レンズ（第３レンズＬ３）と、両凸の正レンズ（第４レンズＬ４）とから構成されて成る。第２ないし第４レンズＬ２、Ｌ３、Ｌ４は、両面が非球面であり、例えば、樹脂材料製レンズである。【０２７３】
第２レンズ群（Ｇｒ２）は、像側に凸の正メニスカスレンズ（第５レンズＬ５）と、両凹の負レンズ（第６レンズＬ６）と、両凸の正レンズ（第７レンズＬ７）とから構成されて成る。第５ないし第７レンズＬ５、Ｌ６、Ｌ７は、両面が非球面であり、例えば、樹脂材料製レンズである。【０２７４】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２７５】
実施例２２の広角光学系１Ｖにおける、各レンズのコンストラクションデータを以下に示す。【０２７６】
数値実施例２２
単位  ｍｍ
面データ
面番号          ｒ        ｄ        ｎｄ        νｄ
物面            ∞        ∞
１            9.515      0.900      1.83481      42.72
２            2.349      2.056
３＊         -6.196      1.009      1.53048      55.72
４＊          1.576      0.569
５＊          2.751      1.971      1.63200      23.41
６＊        -39.794      0.208
７＊         38.176      1.053      1.53048      55.72
８＊         -1.126      0.000
９（絞り）      ∞       0.322
１０＊       -5.579      1.053      1.53048      55.72
１１＊       -1.113      0.100
１２＊       -1.122      1.032      1.63200      23.41
１３＊       12.081      0.100
１４＊        3.788      1.111      1.53048      55.72
１５＊      -11.370      0.400
１６            ∞       0.500      1.51680      64.20
１７            ∞       0.100
像面            ∞
非球面データ
第３面
Ｋ＝-5.4000e+000，Ａ４＝2.0043e-002，Ａ６＝-7.8511e-003，Ａ８＝1.1954e-003，Ａ１０＝-6.7479e-005
第４面
Ｋ＝-1.3637e+000，Ａ４＝9.6625e-002，Ａ６＝-6.0707e-002，Ａ８＝7.6455e-003，Ａ１０＝2.5856e-003
第５面
Ｋ＝0.0000e+000，Ａ４＝1.4884e-002，Ａ６＝-1.4574e-002，Ａ８＝5.3641e-003，Ａ１０＝0.0000e+000
第６面
Ｋ＝0.0000e+000，Ａ４＝1.1058e-001，Ａ６＝4.8626e-002，Ａ８＝2.7054e-002，Ａ１０＝0.0000e+000
第７面
Ｋ＝0.0000e+000，Ａ４＝6.9286e-002，Ａ６＝-5.3877e-003，Ａ８＝-1.9094e-002，Ａ１０＝-5.5597e-002
第８面
Ｋ＝0.0000e+000，Ａ４＝2.3802e-001，Ａ６＝-2.6201e-001，Ａ８＝2.0775e-001，Ａ１０＝1.9167e-001
第１０面
Ｋ＝0.0000e+000，Ａ４＝2.0877e-001，Ａ６＝-4.5908e-001，Ａ８＝1.2497e-001，Ａ１０＝2.0095e-001
第１１面
Ｋ＝-2.0000e+000，Ａ４＝-2.7392e-001，Ａ６＝2.3718e-001，Ａ８＝-5.7976e-002，Ａ１０＝-7.8424e-002
第１２面
Ｋ＝0.0000e+000，Ａ４＝-1.7291e-001，Ａ６＝6.1696e-001，Ａ８＝-2.8678e-001，Ａ１０＝1.0266e-002
第１３面
Ｋ＝0.0000e+000，Ａ４＝-4.5045e-002，Ａ６＝1.0183e-001，Ａ８＝-9.3934e-003，Ａ１０＝-9.6520e-003
第１４面
Ｋ＝0.0000e+000，Ａ４＝-3.2399e-002，Ａ６＝2.2703e-003，Ａ８＝4.0425e-003，Ａ１０＝-6.0866e-004
第１５面
Ｋ＝0.0000e+000，Ａ４＝-1.7582e-002，Ａ６＝2.6262e-003，Ａ８＝-2.7336e-003，Ａ１０＝7.6944e-004
各種データ
焦点距離          1.073
Ｆナンバ          4.025
半画角           98.252
像高              2.110
レンズ全長       12.316
ＢＦ              0.833
以上のようなレンズ配置、構成のもとでの、実施例２２の広角光学系１Ｖにおける球面収差（正弦条件）、非点収差、歪曲収差および横収差を、図４９にそれぞれ示す。
［実施例２３］
図４７は、実施例２３の広角光学系におけるレンズ群の配列を示す断面図である。図５０は、実施例２３の広角光学系におけるレンズ群の収差図である。【０２７７】
実施例２３の広角光学系１Ｗは、図４７に示すように、物体側から像側へ順に、全体として正の光学的パワーを有する前群のレンズ群（Ｇｒ１）と、光量を調節するための開口絞りＳＴと、全体として正の光学的パワーを有する後群のレンズ群（Ｇｒ２）とから成る正・正の２成分構成である。【０２７８】
より詳しくは、実施例２３の広角光学系１Ｗは、前群および後群の各レンズ群（Ｇｒ１、Ｇｒ２）が物体側から像側へ順に、次のように構成されている。【０２７９】
第１レンズ群（Ｇｒ１）は、物体側に凸の負メニスカスレンズ（第１レンズＬ１）と、両凹の負レンズ（第２レンズＬ２）と、両凸の正レンズ（第３レンズＬ３）とから構成されて成る。第２および第３レンズＬ２、Ｌ３は、両面が非球面であり、例えば、樹脂材料製レンズである。【０２８０】
第２レンズ群（Ｇｒ２）は、両凸の正レンズ（第４レンズＬ４）と、像側に凸の負メニスカスレンズ（第５レンズＬ５）とから構成されて成る。第４および第５レンズＬ４、Ｌ５は、両面が非球面であり、例えば、樹脂材料製レンズである。【０２８１】
そして、後群のレンズ群（Ｇｒ２）の像側には、フィルタとしての平行平板ＦＴを介して撮像素子ＳＲの受光面が配置されている。平行平板ＦＴは、各種光学フィルタや撮像素子のカバーガラス等である。【０２８２】
実施例２３の広角光学系１Ｗにおける、各レンズのコンストラクションデータを以下に示す。【０２８３】
数値実施例２３
単位  ｍｍ
面データ
面番号          ｒ        ｄ        ｎｄ        νｄ
物面            ∞        ∞
１           10.907      0.900      1.83481      42.72
２            2.970      2.090
３＊         -5.962      0.800      1.53048      55.72
４＊          1.227      0.532
５＊          1.718      1.512      1.63200      23.41
６＊        -23.530      0.563
７（絞り）      ∞       0.185
８＊          2.259      1.235      1.53048      55.72
９＊         -1.146      0.104
１０＊       -1.177      0.835      1.63200      23.41
１１＊       -1.734      1.405
１２            ∞       0.500      1.51680      64.20
１３            ∞       0.100
像面            ∞
非球面データ
第３面
Ｋ＝-6.4360e+000，Ａ４＝-9.5730e-003，Ａ６＝1.6361e-004，Ａ８＝1.7225e-005，Ａ１０＝1.6924e-006，Ａ１２＝1.4303e-007
第４面
Ｋ＝0.0000e+000，Ａ４＝-2.1902e-003，Ａ６＝6.0297e-005，Ａ８＝1.6131e-005，Ａ１０＝2.1546e-006
第５面
Ｋ＝0.0000e+000，Ａ４＝2.1181e-003，Ａ６＝-1.0224e-004，Ａ８＝-2.5155e-005，Ａ１０＝-3.9136e-006
第６面
Ｋ＝-2.1265e+000，Ａ４＝1.4057e-001，Ａ６＝-9.1253e-002，Ａ８＝2.4765e-002，Ａ１０＝-1.9462e-003，Ａ１２＝-1.1036e-004
第７面
Ｋ＝0.0000e+000，Ａ４＝-1.2067e-002，Ａ６＝3.1910e-003，Ａ８＝-3.8091e-003，Ａ１０＝2.0015e-003，Ａ１２＝-3.2495e-004
第８面
Ｋ＝0.0000e+000，Ａ４＝1.8176e-002，Ａ６＝-1.1139e-002，Ａ８＝2.3137e-002，Ａ１０＝-1.4515e-002，Ａ１２＝2.8361e-003
第１０面
Ｋ＝0.0000e+000，Ａ４＝-9.0214e-002，Ａ６＝2.0175e-001，Ａ８＝-2.1783e-001，Ａ１０＝1.0648e-001，Ａ１２＝-1.7154e-002
第１１面
Ｋ＝-2.0000e+000，Ａ４＝-3.5627e-003，Ａ６＝-4.5454e-002，Ａ８＝4.0068e-002，Ａ１０＝-1.0784e-002，Ａ１２＝1.1365e-003
第３面
Ｋ＝-5.4000e+000，Ａ４＝2.8771e-002，Ａ６＝-7.8527e-003，Ａ８＝9.4066e-004，Ａ１０＝-4.4711e-005
第４面
Ｋ＝-6.8153e-001，Ａ４＝1.4988e-001，Ａ６＝-3.2758e-002，Ａ８＝-7.1048e-003，Ａ１０＝-9.5885e-004
第５面
Ｋ＝0.0000e+000，Ａ４＝4.3673e-002，Ａ６＝-9.2153e-003，Ａ８＝5.5391e-003，Ａ１０＝0.0000e+000
第６面
Ｋ＝0.0000e+000，Ａ４＝6.3011e-002，Ａ６＝-5.1472e-003，Ａ８＝4.8585e-002，Ａ１０＝0.0000e+000
第８面
Ｋ＝0.0000e+000，Ａ４＝4.4922e-003，Ａ６＝2.6549e-002，Ａ８＝1.3687e-002，Ａ１０＝-5.5592e-002
第９面
Ｋ＝-2.0000e+000，Ａ４＝-2.3805e-001，Ａ６＝3.0744e-001，Ａ８＝-2.4977e-001，Ａ１０＝1.2940e-002
第１０面
Ｋ＝0.0000e+000，Ａ４＝-2.9744e-001，Ａ６＝5.1914e-001Ａ８＝-2.5916e-001，Ａ１０＝-3.5720e-002
第１１面
Ｋ＝0.0000e+000，Ａ４＝-6.5775e-002，Ａ６＝6.7541e-002，Ａ８＝1.7684e-002，Ａ１０＝-7.9193e-003
各種データ
焦点距離          1.041
Ｆナンバ          2.775
半画角          101.046
像高              2.110
レンズ全長       10.584
ＢＦ              1.829
以上のようなレンズ配置、構成のもとでの、実施例２３の広角光学系１Ｗにおける球面収差（正弦条件）、非点収差、歪曲収差および横収差を、図５０にそれぞれ示す。【０２８４】
上記に列挙した実施例１〜２３の変倍光学系１Ａ〜１Ｗに、上述した条件式（１）〜（１３）を当てはめた場合のそれぞれの数値を、表１ないし表３に示す。【０２８５】
【表１】
2009041382.tif 000003
【０２８６】
【表２】
2009041382.tif 000004
【０２８７】
【表３】
2009041382.tif 000005
【０２８８】
以上、説明したように、上記実施例１〜２３における広角光学系１Ａ〜１Ｗは、本発明に係る要件を満足している結果、より良好な光学性能を有し、そして、デジタル機器に搭載する上で、特に車載用のモニタカメラや携帯端末等に搭載する上で小型化が充分に達成され、低廉化が可能である。また、上記実施例１〜２３における広角光学系１Ａ〜１Ｗは、特に全画角１８０度以上の超広角化が達成可能である。【０２８９】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求の範囲の権利範囲を離脱するレベルのものでない限り、当該変更形態または当該改良形態は、当該請求の範囲の権利範囲に包括されると解釈される。
【図２５】
2009041382.tif 000006
【図２６】
2009041382.tif 000007
【図２７】
2009041382.tif 000008
【図２８】
2009041382.tif 000009
【図２９】
2009041382.tif 000010
【図３０】
2009041382.tif 000011
【図３１】
2009041382.tif 000012
【図３２】
2009041382.tif 000013
【図３３】
2009041382.tif 000014
【図３４】
2009041382.tif 000015
【図３５】
2009041382.tif 000016
【図３６】
2009041382.tif 000017
【図３７】
2009041382.tif 000018
【図３８】
2009041382.tif 000019
【図３９】
2009041382.tif 000020
【図４０】
2009041382.tif 000021
【図４１】
2009041382.tif 000022
【図４２】
2009041382.tif 000023
【図４３】
2009041382.tif 000024
【図４４】
2009041382.tif 000025
【図４５】
2009041382.tif 000026
【図４６】
2009041382.tif 000027
【図４７】
2009041382.tif 000028
【図４８】
2009041382.tif 000029
【図４９】
2009041382.tif 000030
【図５０】
2009041382.tif 000031
【図１】
2009041382.tif 000032
【図２】
2009041382.tif 000033
【図３】
2009041382.tif 000034
【図４】
2009041382.tif 000035
【図５】
2009041382.tif 000036
【図６】
2009041382.tif 000037
【図７】
2009041382.tif 000038
【図８】
2009041382.tif 000039
【図９】
2009041382.tif 000040
【図１０】
2009041382.tif 000041
【図１１】
2009041382.tif 000042
【図１２】
2009041382.tif 000043
【図１３】
2009041382.tif 000044
【図１４】
2009041382.tif 000045
【図１５】
2009041382.tif 000046
【図１６】
2009041382.tif 000047
【図１７】
2009041382.tif 000048
【図１８】
2009041382.tif 000049
【図１９】
2009041382.tif 000050
【図２０】
2009041382.tif 000051
【図２１】
2009041382.tif 000052
【図２２】
2009041382.tif 000053
【図２３】
2009041382.tif 000054
【図２４】
2009041382.tif 000055
【国際調査報告】
2009041382.tif 000056
2009041382.tif 000057
2009041382.tif 000058
2009041382.tif 000059
2009041382.tif 000060
2009041382.tif 000061
2009041382.tif 000062
2009041382.tif 000063
2009041382.tif 000064
2009041382.tif 000065
2009041382.tif 000066